(57)【要約】【課題】  従来のものより小さい力で張り出し手段を土中に張り出すことができる杭を提供する。また引き抜き方向と沈下方向の両方向に対して充分な耐力を有する杭を提供する。【解決手段】  杭Ｋ１は先鋭部２を有する杭本体１を備えている。杭本体１の側壁１００，１０１には開口部１０６，１０７が形成してある。杭本体１内の下部側には、円弧形状に形成してある張り出し部材３，３、張り出し部材３，３の移動方向を案内する案内部材４，４、張り出し部材３，３を杭本体１の側面から外方向へ突出して張り出す押圧部材５０が内蔵してある。張り出し部材３，３は、杭本体１の上方から押圧棒６を入れて下方に押し込むことで、押圧部材５０によって押し下げられる。そして、案内部材４，４に沿って移動し、先端側から開口部１０６，１０７より外方向（土中）に突出して張り出す。【選択図】        図１
2005009295.tif 000002
【特許請求の範囲】
【請求項１】
土中に建て込みまたは打ち込んだ後に、内部に具有する張り出し手段を土中で張り出して抜けまたは沈下を防止する杭において、
上記張り出し手段は、先端が土中を突き進みながら張り出し可能となるよう杭本体に設けてあることを特徴とする、
杭。
【請求項２】
土中に建て込みまたは打ち込んだ後に、内部に具有する張り出し手段を土中で張り出して抜けまたは沈下を防止する杭において、
上記張り出し手段は、先端が土中を弧状に突き進みながら張り出し可能となるよう杭本体に設けてあることを特徴とする、
杭。
【請求項３】
杭本体の側壁には張り出し手段が張り出す際に通る開口部が形成してあり、張り出し手段は、案内手段によって張り出し方向が案内されるよう構成してあることを特徴とする、
請求項１または２記載の杭。
【請求項４】
土中に建て込みまたは打ち込んだ後に、内部に具有する張り出し手段を土中で張り出して抜けまたは沈下を防止する杭において、
上記杭本体の側壁には上記張り出し手段が張り出す際に通る開口部が形成してあり、上記張り出し手段は、案内手段によって張り出し方向が案内され、先端が土中を弧状に突き進みながら反対方向に張り出し可能となるよう、杭本体に設けてあることを特徴とする、
杭。
【請求項５】
案内手段は、杭本体内に突出するよう当該杭本体の外方向から貫通させて、張り出し手段を案内する部分を形成するよう構成してあることを特徴とする、
請求項３または４記載の杭。
【請求項６】
土中に建て込みまたは打ち込んだ後に、内部に具有する張り出し手段を土中で張り出して抜けまたは沈下を防止する杭において、
上記杭本体の側壁には上記張り出し手段が張り出す際に通る開口部が形成してあり、上記張り出し手段は、所要位置を中心として回動可能に固定されており、回動して先端が土中を突き進みながら張り出し可能となるよう、杭本体に設けてあることを特徴とする、
杭。
【請求項７】
土中に建て込みまたは打ち込んだ後に、内部に具有する張り出し手段を土中で張り出して抜けまたは沈下を防止する杭において、
上記杭本体の側壁には上記張り出し手段が張り出す際に通る開口部が形成してあり、
上記張り出し手段は、当該張り出し手段を保持する保持装置に保持されており、当該保持装置を杭本体内に収容して杭本体に設けてあることを特徴とする、
杭。
【請求項８】
請求項７記載の杭に使用する保持装置であって、
保持した張り出し手段の張り出し方向を案内する案内手段を有しており、杭本体内に着脱可能なよう構成してあることを特徴とする、
張り出し手段を杭に設ける保持装置。
【請求項９】
張り出し手段は、張り出して所定の位置まで移動したときに、杭本体の側面に形成してある開口部を閉塞または実質的に閉塞することができるよう構成してあることを特徴とする、
請求項３，４，５，６または７記載の杭。
【請求項１０】
張り出し手段は、張り出した状態が維持または実質的に維持可能なよう構成してあることを特徴とする、
請求項１，２，３，４，５，６，７または９記載の杭。
【請求項１１】
張り出し手段は、杭本体の周方向において放射方向に張り出すよう複数設けてあることを特徴とする、
請求項１，２，３，４，５，６，７，９または１０記載の杭。
【請求項１２】
張り出し手段は、杭本体の長さ方向において所要間隔をもって複数設けてあることを特徴とする、
請求項１，２，３，４，５，６，７，９，１０または１１記載の杭。
【請求項１３】
張り出し手段を杭本体の内部で固定する手段を備えていることを特徴とする、
請求項１，２，３，４，５，６，７，９．１０，１１または１２記載の杭。
【請求項１４】
張り出し手段を外方向へ張り出すよう操作できる操作手段を備えたことを特徴とする、
請求項１，２，３，４，５，６，７，９，１０，１１，１２または１３記載の杭。
【請求項１５】
操作手段は、操作することによって外方向に張り出した状態の張り出し手段が、杭本体内に収容できるよう構成してあることを特徴とする、
請求項１４記載の杭。
【発明の詳細な説明】
【技術分野】
【０００１】
本発明は杭に関する。
更に詳しくは、従来のものより小さい力で張り出し手段を土中に張り出すことができるようにしたものに関する。
また、引き抜き方向と沈下方向の両方向に対して充分な耐力を有するようにしたものに関する。
更に、土中に張り出した状態の張り出し手段が杭本体内に収容できるようにしたものに関する。
【背景技術】
【０００２】
一般家屋など建物の施工においては、建物の土台となる基礎の施工が重要である。基礎は地盤の上に設けられるので、十分な強度を有する基礎を施工するには、まず地盤を強化する必要がある。
地盤強化の方法のひとつとして、地盤に多数の杭を鉛直方向に打ち込む方法が知られている。
【０００３】
杭は、下端部が尖らせてあり、所要長さの棒形状を有するものが一般的である。
このような杭には、下端を岩盤などの支持力のある支持層まで到達させて支える支持杭や、杭の外周面と土との摩擦力によって支える摩擦杭等がある。
しかし、いずれの杭もその構造上、引き抜き方向に対する力には弱いという課題があった。
【０００４】
近年では、張り出し手段を杭本体内に設けておき、土中に建て込みまたは打ち込んだ後に上記張り出し手段を外方に張り出すことで、引き抜き方向に対して耐力が得られるようにした杭が開発されている（特許文献１参照）。
【０００５】
この杭の張り出し手段（上記公報では「抜け止め体」と記載）は、杭本体の外周側に、下部に設けた支持軸で外方に回動できるよう取り付けてあり、杭本体内に入れた操作体で内側から押しやることによって外方に張り出される。
【特許文献１】特開平１１−１５８８６８号公報
【発明の開示】
【発明が解決しようとする課題】
【０００６】
上記した公報記載の杭には、次のような課題があった。
上記杭の張り出し手段は、下部の支持軸を中心として外方に回動し、略水平な状態からそれ以上は回動しないよう構成されていた。従って、引き抜き方向に対しては耐力を有する。しかし、この構成では張り出した状態を維持するようにはなっていないので、上記杭は沈下方向への力に対しては耐力を得ることができなかった。
【０００７】
張り出し手段は、外側の面で土を押しやって張り出すので、土の抵抗を受ける部分の面積が広かった。そのため張り出し手段を外方向に張り出すためには、相当な力が必要であった。
また、土を押しやって張り出すことにより、張り出し手段の上部にあたる土には空隙ができる場合があると考えられる。この場合では、引き抜き方向に対する耐力についても充分でない可能性がある。
【０００８】
上記杭では、構造上、土中に張り出した張り出し手段を閉じることができなかったので、例えば、撤去等にあたっての作業は容易でなかった。
【０００９】
本発明の目的は、従来のものより小さい力で張り出し手段を土中に張り出すことができる杭を提供することにある。
また、本発明の他の目的は、引き抜き方向と沈下方向の両方向に対して充分な耐力を有する杭を提供することにある。
更に、本発明の他の目的は、土中に張り出した状態の張り出し手段が杭本体内に収容できる杭を提供することにある。
【課題を解決するための手段】
【００１０】
上記目的を達成するために講じた本発明の手段は次のとおりである。
第１の発明にあっては、
土中に建て込みまたは打ち込んだ後に、内部に具有する張り出し手段を土中で張り出して抜けまたは沈下を防止する杭において、
上記張り出し手段は、先端が土中を突き進みながら張り出し可能となるよう杭本体に設けてあることを特徴とする、
杭である。
【００１１】
第２の発明にあっては、
土中に建て込みまたは打ち込んだ後に、内部に具有する張り出し手段を土中で張り出して抜けまたは沈下を防止する杭において、
上記張り出し手段は、先端が土中を弧状に突き進みながら張り出し可能となるよう杭本体に設けてあることを特徴とする、
杭である。
【００１２】
第３の発明にあっては、
杭本体の側壁には張り出し手段が張り出す際に通る開口部が形成してあり、張り出し手段は、案内手段によって張り出し方向が案内されるよう構成してあることを特徴とする、
第１または第２の発明に係る杭である。
【００１３】
第４の発明にあっては、
土中に建て込みまたは打ち込んだ後に、内部に具有する張り出し手段を土中で張り出して抜けまたは沈下を防止する杭において、
上記杭本体の側壁には上記張り出し手段が張り出す際に通る開口部が形成してあり、上記張り出し手段は、案内手段によって張り出し方向が案内され、先端が土中を弧状に突き進みながら反対方向に張り出し可能となるよう、杭本体に設けてあることを特徴とする、
杭である。
【００１４】
第５の発明にあっては、
案内手段は、杭本体内に突出するよう当該杭本体の外方向から貫通させて、張り出し手段を案内する部分を形成するよう構成してあることを特徴とする、
第３または第４の発明に係る杭である。
【００１５】
第６の発明にあっては、
土中に建て込みまたは打ち込んだ後に、内部に具有する張り出し手段を土中で張り出して抜けまたは沈下を防止する杭において、
上記杭本体の側壁には上記張り出し手段が張り出す際に通る開口部が形成してあり、上記張り出し手段は、所要位置を中心として回動可能に固定されており、回動して先端が土中を突き進みながら張り出し可能となるよう、杭本体に設けてあることを特徴とする、
杭である。
【００１６】
第７の発明にあっては、
土中に建て込みまたは打ち込んだ後に、内部に具有する張り出し手段を土中で張り出して抜けまたは沈下を防止する杭において、
上記杭本体の側壁には上記張り出し手段が張り出す際に通る開口部が形成してあり、
上記張り出し手段は、当該張り出し手段を保持する保持装置に保持されており、当該保持装置を杭本体内に収容して杭本体に設けてあることを特徴とする、
杭である。
【００１７】
第８の発明にあっては、
第７の発明に係る杭に使用する保持装置であって、
保持した張り出し手段の張り出し方向を案内する案内手段を有しており、杭本体内に着脱可能なよう構成してあることを特徴とする、
張り出し手段を杭に設ける保持装置である。
【００１８】
第９の発明にあっては、
張り出し手段は、張り出して所定の位置まで移動したときに、杭本体の側面に形成してある開口部を閉塞または実質的に閉塞することができるよう構成してあることを特徴とする、
第３，第４，第５，第６または第７の発明に係る杭である。
【００１９】
第１０の発明にあっては、
張り出し手段は、張り出した状態が維持または実質的に維持可能なよう構成してあることを特徴とする、
第１，第２，第３，第４，第５，第６，第７または第９の発明に係る杭である。
【００２０】
第１１の発明にあっては、
張り出し手段は、杭本体の周方向において放射方向に張り出すよう複数設けてあることを特徴とする、
第１，第２，第３，第４，第５，第６，第７，第９または第１０の発明に係る杭である。
【００２１】
第１２の発明にあっては、
張り出し手段は、杭本体の長さ方向において所要間隔をもって複数設けてあることを特徴とする、
第１，第２，第３，第４，第５，第６，第７，第９，第１０または第１１の発明に係る杭である。
【００２２】
第１３の発明にあっては、
張り出し手段を杭本体の内部で固定する手段を備えていることを特徴とする、
第１，第２，第３，第４，第５，第６，第７，第９，第１０，第１１または第１２の発明に係る杭である。
【００２３】
第１４の発明にあっては、
張り出し手段を外方向へ張り出すよう操作できる操作手段を備えたことを特徴とする、
第１，第２，第３，第４，第５，第６，第７，第９，第１０，第１１，第１２または第１３の発明に係る杭である。
【００２４】
第１５の発明にあっては、
操作手段は、操作することによって外方向に張り出した状態の張り出し手段が、杭本体内に収容できるよう構成してあることを特徴とする、
第１４の発明に係る杭である。
【００２５】
張り出し手段は、先端が土中を突き進みながら張り出し可能であれば、形状は特に限定するものではない。実用に支障のない強度を備えるものであれば、例えば、棒状体（丸棒体、丸筒体、角棒体、角筒体等）や四角形状や三角形状等の板状体（平らな板、湾曲させてある板）等）や、これらを組み合わせたものが使用できる。また、張り出し手段は、先端側が細く、基端側につれて厚みを有するよう形成することもできる。
【００２６】
張り出し手段は、土中に張り出すことで、アンカーや錨のような作用を有する。
【００２７】
杭本体、張り出し手段、操作手段等は、実用に支障のない強度を備えるものであれば、材料は特に限定するものではない。例えば、金属、木材、コンクリート、合成樹脂（プラスチック、繊維強化プラスチック（FRP：fiber-reinforced plastics)も含む）、これらの複合物が使用可能である。
【００２８】
本発明に係る杭は、土中に打ち込んだ後に張り出し手段を土中に張り出して施工しても良いし、予め施工箇所の土を取り除いて建て込み、杭の周りに土を埋め戻した後に張り出し手段を土中に張り出して施工しても良い。また、予め施工箇所の土を取り除き、張り出し手段を張り出した状態で建て込み、杭の周りに土を埋め戻して施工しても良い。
【００２９】
（作  用）
本発明は、次のような作用を有する。
土中に杭を建て込むまたは打ち込む。杭本体内部（内蔵してある）の張り出し部材に対して、杭本体内から張り出すような力を与える。張り出し部材は、先端が土中を突き進みながら張り出される。
【００３０】
本発明によれば、上記のようにして張り出し手段を張り出すことができるので、土による抵抗を最小限にとどめることができ、小さい力で張り出させることができる。即ち、張り出し手段を土中に張り出すときの力が従来のものより小さくて済む。
【００３１】
張り出し手段が土中を弧状に突き進みながら張り出し可能なものは、張り出し手段が弧状に突き進みながら張り出される。
張り出し手段は、直線状に形成してあれば、杭本体の径の大きさによって長さに制限を受けるので、それほど長さが長くできない。しかし、この場合では張り出し手段が弧状に形成できるので、直線状に形成してあるものより長さを長くしても、杭本体の内部空間を利用して効率良く収容することができる。従って、外方向に張り出す長さも長くでき、この場合では張り出し手段が直線状に形成してあるものよりも耐力を高めることができる。
【００３２】
張り出し手段を保持する保持装置を備えたものは、張り出し手段を保持した保持装置を杭本体内に収容して張り出し手段が杭本体に設けられる。
【００３３】
張り出し手段は、張り出して所定の位置まで移動したときに、杭本体の側面に形成してある開口部を閉塞または実質的に閉塞することができるよう構成してあるものは、張り出し手段を張り出して開口部を閉塞することで、土中において開口部から土や水が杭本体内に入らない。
【００３４】
張り出し手段は、張り出した状態が維持または実質的に維持できるよう構成してあるものは、張り出し手段を土中に張り出すことにより、引き抜き方向と沈下方向の両方向に対して充分な耐力を有する。
【００３５】
張り出し手段を杭本体の内部で固定する手段を備えているものは、張り出し手段が不意に外方向に張り出さない。
【００３６】
張り出し手段を外方向へ張り出すよう操作できる操作手段を備え、操作手段は、操作することによって外方向に張り出した状態の張り出し手段が、杭本体内に収容できるよう構成してあるものは、張り出し手段を土中に張り出した状態から杭本体内に収容することができる。これにより例えば杭を撤去する際の作業が容易である。
【００３７】
案内手段が、杭本体内に突出するよう当該杭本体の外方向から貫通させて、張り出し手段を案内する部分を形成するよう構成してあるものは、案内手段の形成に際して杭本体の内部を溶接するような作業がないので、製造が簡単である。
【発明の効果】
【００３８】
本発明は上記構成を備え、次の効果を有する。
（ａ）本発明に係る杭によれば、先端が土中を突き進みながら張り出し部材を張り出すことができるので、土による抵抗を最小限にとどめることができ、小さい力で張り出させることができる。即ち、張り出し手段を土中に張り出すときの力が従来のものより小さくて済む。
【００３９】
（ｂ）張り出し手段が土中を弧状に突き進みながら張り出し可能なものは、張り出し手段が弧状に突き進みながら張り出される。
張り出し手段は、直線状に形成してあれば、杭本体の径の大きさによって長さに制限を受けるので、それほど長さが長くできない。しかし、この場合では張り出し手段が弧状に形成できるので、直線状に形成してあるものより長さを長くしても、杭本体の内部空間を利用して効率良く収容することができる。従って、外方向に張り出す長さも長くでき、この場合では張り出し手段が直線状に形成してあるものよりも耐力を高めることができる。
【００４０】
（ｃ）張り出し手段を保持する保持装置を備えたものは、張り出し手段を保持した保持装置を杭本体内に収容して張り出し手段が杭本体に設けられるので、製造が簡単である。
【００４１】
（ｄ）張り出し手段は、張り出して所定の位置まで移動したときに、杭本体の側面に形成してある開口部を閉塞または実質的に閉塞することができるよう構成してあるものは、張り出し手段を張り出して開口部を閉塞することで、土中において開口部から土や水が杭本体内に入らない。
【００４２】
（ｅ）張り出し手段は、張り出した状態が維持または実質的に維持できるよう構成してあるものは、張り出し手段を土中に張り出すことにより、引き抜き方向と沈下方向の両方向に対して充分な耐力を有する。
【００４３】
（ｆ）張り出し手段を杭本体の内部で固定する手段を備えているものは、張り出し手段が不意に外方向に張り出さない。
【００４４】
（ｇ）張り出し手段を外方向へ張り出すよう操作できる操作手段を備え、操作手段は、操作することによって外方向に張り出した状態の張り出し手段が、杭本体内に収容できるよう構成してあるものは、張り出し手段を土中に張り出した状態から杭本体内に収容することができる。これにより例えば杭を撤去する際の作業が容易である。
【００４５】
（ｈ）案内手段が、杭本体内に突出するよう当該杭本体の外方向から貫通させて、張り出し手段を案内する部分を形成するよう構成してあるものは、案内手段の形成に際して杭本体の内部を溶接するような作業がないので、製造が簡単である。
【発明を実施するための最良の形態】
【００４６】
本発明の実施の形態を図面に基づき更に詳細に説明する。
図１ないし図７は本発明に係る杭の第１の実施の形態を示している。
図１は張り出し部材を杭本体に内蔵した状態の杭を示す斜視説明図、
図２は図１で示す杭を矢印Ａの方向から見た状態の要部拡大断面図、
図３は図１で示す杭を矢印Ｂの方向から見た状態の要部拡大断面図である。
なお、図２及び図３において、杭本体に内蔵された各部材（案内部材２０以外）については、見易さを考慮して断面せずに示している。
【００４７】
杭Ｋ１は、所要長さを有する杭本体１を備えている。杭本体１は、内部に収容部１５を有する角筒形状に形成してある。本実施の形態で杭本体１は、四角筒形状を有する鋼管で形成してある。
【００４８】
杭本体１の下端部には、杭を土中に打ち込み易くする先鋭部２が設けてある。本実施の形態で先鋭部２は、略三角形状の板状体を組み合わせて、先端が尖った四角錐形状になるよう形成してある。杭本体１の下部の開口部は、先鋭部２を設けることで塞がれている。従って、打ち込み時において土が杭本体１の下部から内部に入ることはない。
【００４９】
また、先鋭部２のやや上部にあたる杭本体１の下部側の相対向する側壁１００，１０１には、略逆「Ｔ」字（型）状を有する開口部１０６，１０７が内外部を貫通して形成してある。詳しくは、開口部１０６，１０７は、それぞれ略水平方向にのびた長方形状の開口部を備え、その開口部の略中央から上方向に同様に長方形状の開口部を備えることで形成してある。開口部１０６，１０７は、側壁１００，１０１において相対向するよう形成してある。
【００５０】
図２及び図３を参照する。
杭本体１内の下部側には、張り出し部材３，３、張り出し部材３，３の移動方向（張り出し方向）を案内する案内手段である案内部材４，４、張り出し部材３，３を杭本体１の側面から外方向へ突出して張り出す作動装置が設けてある。作動装置は操作手段を構成する。
また、杭本体１内の下端部から先鋭部２内にかけては、先鋭部２を補強する補強部材２０が設けてある。
【００５１】
各張り出し部材３は、杭本体１の内幅よりもやや幅方向の長さが短い長方形状の板状体を、長さ方向にむかって円弧状に曲げて羽根部３０とし、その曲げた内面側に補強のための補強リブ３１を垂設して形成してある。本実施の形態で張り出し部材３は、鉄板を組み合わせて形成してある。
【００５２】
各張り出し部材３の基端側（図２では上側）には、杭本体１から張り出した張り出し部材３を所定位置で止める停止部材３２が設けてある。停止部材３２は板状体であり、表面が補強リブ３１の上角部側から羽根部３０のやや内側に入った箇所にかけて形成されるよう、斜めに傾けて取り付けてある。
【００５３】
また、張り出し部材３，３の先端側（図２では下側）の端部は、張り出し部材３，３の全体が杭本体１に内蔵されたときに開口部１０６，１０７を備えた側壁１００，１０１の内面と略平行な状態となり、この端部で開口部１０６，１０７が実質的に塞がれた状態にできるよう斜めに形成されている。
【００５４】
案内部材４，４は、長方形状の板状体を略中央部分で折り曲げ、更に両側を円弧状に曲げて形成してある。案内部材４，４は、長さ方向に沿う厚み部分の一方の側面を側壁１０２と側壁１０３の内面に、下端部がそれぞれ開口部１０６，１０７の近傍に位置するよう固着してある。両案内部材４，４は、側壁１０２，１０３とで相対向するよう固着してあり、表面（案内面４０，４０）の形状が同じになるようしてある。また、この案内部材４の案内面４０の形状（湾曲形状）は、上記した羽根部３０の裏面が沿う形状に形成してある。
【００５５】
上記した張り出し部材３，３は、杭本体１に収容された状態において、側壁１０２と側壁１０３に固着された案内部材４，４の案内面４０，４０上に、羽根部３０，３０を載せて設けてある（図２、図３参照）。
【００５６】
補強部材２０は、板状体を平面視において「十」字（型）形状を有するよう組み合わせて形成してあり、各端辺部を先鋭部２の内面に固着して設けてある。補強部材２０のうち板状体が交わる中心部には軸受部２００が設けてある。軸受部２００は上部より凹ませて所要の深さを有するよう形成してある。
【００５７】
作動装置は、杭本体１内に収容された張り出し部材３，３を上部側から押して開口部１０６，１０７から突出させる押圧部材５０と、押圧部材５０の移動方向を案内する案内軸部材５１を備えている。
案内軸部材５１は棒状体であり、下端側を補強部材２０の軸受部２００に挿し込んで固着し、杭本体１の長さ方向に延びるよう設けてある。この案内軸部材５１は、上端が杭本体１内の張り出し部材３，３より高い位置に設けられる長さに設定してある。
【００５８】
押圧部材５０は、長さが杭本体１の内幅よりやや短く、幅が案内部材４，４の間に位置できるような、略断面「凵」型形状に形成してある。詳しくは、押圧部材５０は、長方形状を有する板状体の長さ方向に沿う両端部に、長方形状の板状体を垂設して形成してある。また、押圧部材５０の略中央部には、案内軸部材５１が貫通できる貫通孔５００が形成してある。
押圧部材５０は、張り出し部材３，３の上端に載せ、貫通孔５００に案内軸部材５１の上側を貫通させ、案内軸部材５１の先端側に押圧部材５０の抜け外れ防止のためのナットＮを螺合することで取り付けてある。
【００５９】
本実施の形態で杭本体１は、四角筒形状を有する鋼管で形成したが、これは限定するものではない。例えば、後に示す杭Ｋ４ように円筒形状にすることもできる。また、杭本体１は、例えば、継目のない管形状にすることもできるし、板状体を曲げて継ぎ目がある管形状にすることもできる。また、複数本のＣ型鋼等を組み合わせて管形状にすることもできる。更に、杭本体を形成する材料も、例えば、木材、コンクリート、合成樹脂、これら（金属も含む）の複合物等が使用可能である。
【００６０】
また、先鋭部２の形状も特に限定するものではなく、例えば、円錐形状に形成することもできる。また、半球状にする等して尖らせないようにすることもできる。また、先鋭部２は設けないようにすることもできる。
【００６１】
更に、張り出し部材３は、鉄板を組み合わせて形成したが、張り出し部材を形成する材料は特に限定するものではなく、実用に支障のない強度を備えるものであれば、例えば、木材、コンクリート、合成樹脂、これら（金属も含む）の複合物等が使用可能である。
【００６２】
（作  用）
図４は張り出し部材を杭本体内から張り出した状態の杭を示す斜視説明図、
図５は図４で示す杭を矢印Ｃの方向から見た状態の要部拡大断面図、
図６は図４で示す杭を矢印Ｄの方向から見た状態の要部拡大断面図、
図７は図１に示す杭を打ち込み、張り出し部材を土中に張り出すまでの各状態を示す説明図である。
詳しくは、
（ａ）は杭打装置を使用して杭を打ち込んでいる状態を示している。
（ｂ）は杭が打ち込まれた状態を示している。
（ｃ）は杭の内部に押圧棒を入れて、張り出し部材を土中に張り出そうとしている状態を示している。
（ｄ）は押圧棒を下降させて、張り出し部材を土中に張り出した状態を示している。
なお、図５及び図６においても、杭本体に内蔵された各部材（案内部材２０以外）は断面せずに示している。
図１ないし図７を参照して、本実施の形態で示す杭Ｋ１の施工手順及びその作用を説明する。
【００６３】
まず、先鋭部２を下側にして、張り出し部材３，３を収容した状態の杭Ｋ１を地盤上に立てる。杭Ｋ１の上端部に、杭打装置の先端に設けた振動発生装置Ｖを被せて載せる（図７（ａ）参照）。
振動発生装置Ｖを駆動させ、振動を伝えながら杭Ｋ１を土中に打ち込む（図７（ｂ）参照）。
【００６４】
打ち込んだ杭本体１の収容部１５内に、上部開口部から所要長さを有する管状の押圧棒（管）６を入れる（図７（ｃ）参照）。押圧棒６は、張り出し部材３，３を突出させるよう操作するものである。なお、押圧棒６は操作手段を構成する。本実施の形態で押圧棒６は、外径が押圧部材５０の幅より小さく、内径が案内軸部材５１に螺合してあるナットＮの外径よりも大きい円管形状のものを使用している。
【００６５】
杭本体１に入れた押圧棒６は、案内軸部材５１とナットＮが内部に収容されるようにして、下端部を押圧部材５０の上面に載せる。
そして、押圧棒６の上部（例えば、杭本体１の上部から出ている箇所（図示省略））を作業機械等で下方に押し込む（ハンマー等で叩いても良い）。なお、押圧棒６の長さが短く杭本体１の上部から出ない場合は、収容部１５内に押圧棒６の上部に載置可能な所要長さを有する部材を入れて繋いで押し込むこともできる。
【００６６】
押圧棒６が下方に押し込まれることで、押圧部材５０が案内部材４，４の間に下降し、この押圧部材５０の下面によって張り出し部材３，３が押し下げられる。
こうして張り出し部材３，３は案内部材４，４に沿って（孤を描きながら）移動し、先端側から開口部１０６，１０７より外方向（土中）に突出して張り出す（図５及び図６参照）。張り出し部材３，３は、構造上、張り出した後の状態が維持される。
【００６７】
各張り出し部材３は、停止部材３２が杭本体１の側壁１００（１０１）の内面に当たったところで動きが止まる。このとき開口部１０６（１０７）は、貫通している羽根部３０や補強リブ３１、内面に当たった停止部材３２によって覆われて略閉塞される。従って、張り出し部材３，３が土中に張り出した状態では、開口部１０６，１０７から土や水は杭本体１の内部に入り難い。
【００６８】
各張り出し部材３は、従来のもののように外側の面で土を押しやって張り出す構造のものではなく、張り出し部材３の長さ方向と実質的に同じ方向へ、羽根部３０等の板厚部分の先端が土中を突き進みながら（土中に差し込まれながら）移動して張り出す。しかも羽根部３０の板厚部分や補強リブ３１の先端側は、斜めに切断して鋭角状に形成してあるので、比較的抵抗が小さい状態で突き進む。従って、杭Ｋ１は、張り出し部材３，３を動かす力、つまり押圧棒６を移動させる力は従来のものより小さくて済む。
【００６９】
また、張り出し部材３，３は、羽根部３０等の板厚部分が土中を突き進みながら移動して張り出すので、張り出しても張り出し部材３，３の周りに空隙が形成されず、しかも、張り出した後の状態が維持されるので、引き抜き方向と沈下方向の両方向に対して充分な耐力を有する。
【００７０】
本実施の形態で杭打装置は、アームの先端に振動発生装置Ｖを備えた油圧式ショベル系掘削機を使用した。しかし、杭打装置はこれに限定するものではなく、種々の作業機械が使用できる。
また、杭Ｋ１（以下に示す杭Ｋ２ないし杭Ｋ１４も同じ）は、杭打装置のアームの先端に設けた振動発生装置Ｖによって振動をかけて打ち込んだが、これも限定するものではなく、杭は例えば、打撃、回転等によって打ち込むこともできる。
【００７１】
本実施の形態で押圧棒６は円管形状を有するものを使用したが、押圧棒の形状は、押圧部材５０を押し下げて張り出し部材３，３を張り出すことができれば、特に限定するものではない。例えば、角管形状、単なる棒状（中実状）のもの、略断面「Ｃ」字（型）形状（側壁の一部に長さ方向に沿う開口部が形成してある略管形状）を有するもの等が使用できる。また、案内軸部材５１を内部に収容しないようにすることもできる。
【００７２】
図８は本発明に係る杭の第２の実施の形態を示す要部拡大断面説明図である。
図８において上記図１ないし図７で示したものと同一または同等箇所には同一の符号を付して示している。更に、以下の説明において構造について上記で示した箇所と重複する説明は、必要な事項を除き省略する。図８においても、杭本体１内に収容された各部材（案内部材２０以外）は断面せずに示している。
【００７３】
杭Ｋ２を構成する作動部材は、押圧部材５０と案内軸部材５１ａを備えている。案内軸部材５１ａの周面には、略全長にわたってネジ溝が形成されている。案内軸部材５１ａは、下端側を補強部材２０の軸受部２００に挿し込んで固着してある。また、案内軸部材５１ａのうち押圧部材５０より上部側には、ナットＮが螺合してある。
【００７４】
（作  用）
本実施の形態で示す杭Ｋ２は、次のようにして張り出し部材３，３が張り出す。
杭本体１の収容部１５内に、上部開口部から所要長さを有する操作ロッド（図示省略）を入れる。操作ロッドは、下端部にレンチ部を備えており、このレンチ部をナットに嵌合して回転させるものである。
【００７５】
操作ロッドのレンチ部をナットに嵌合する。杭本体１の上部側で操作ロッドを操作し、レンチ部を回転させてナットＮを案内軸部材５１ａに沿わせて下降させる。これにより押圧部材５０がナットＮに押されて下降する。従って、押圧部材５０の下面で押し下げられて張り出し部材３も下降する。こうして張り出し部材３が土中に張り出す。
本実施の形態で示す杭Ｋ２の他の作用は、上記した杭Ｋ１と略同じであるので説明は省略する。
【００７６】
図９ないし図１２は本発明に係る杭の第３の実施の形態を示している。
図９は張り出し部材を杭本体に内蔵した状態の杭を示す要部拡大断面図、
図１０は杭を図９で示す方向から軸周方向において９０°回転した方向から見た状態を示す要部拡大断面図、
図１１は図９に示す状態から張り出し部材を外方向に張り出した状態を示す要部拡大断面図、
図１２は図１０に示す状態から張り出し部材を外方向に張り出した状態を示す要部拡大断面図である。
図９ないし図１２において、上記図１ないし図８で示したものと同一または同等箇所には同一の符号を付して示している。更に、以下の説明において構造について上記で示した箇所と重複する説明は、必要な事項を除き省略する。図９ないし図１２においても、杭本体に内蔵された各部材（案内補強部材２５、ふらつき防止部材２６以外）は断面せずに示している。
【００７７】
杭Ｋ３を構成する杭本体１内の下部側には、上記した案内部材と補強部材の両方の機能を兼ね備える案内補強部材２５と、杭本体１内における張り出し部材３，３の移動時のふらつきを防止するふらつき防止部材２６，２６が設けてある。
【００７８】
案内補強部材２５は、所要の厚みを有する板状体を側壁１００と側壁１０１の間に架け渡して設けてある。案内補強部材２５の上部側における側壁１００と側壁１０１に対応する部分には、それぞれ張り出し部材３，３の移動方向を案内する案内面２５０，２５０が、羽根部３０，３０の裏面が沿う円弧形状を有するよう切り欠いて形成してある。また、各案内面２５０の下部側には、ふらつき防止部材２６を嵌めるための設置部２５１が更に切り欠いて形成してある。
【００７９】
各ふらつき防止部材２６は、長方形状を有する板状体で形成してあり、長辺側の一辺が開口部１０６，１０７の下縁部近傍に位置するよう設置部２５１に嵌めて、表面が案内面２５０の表面と略面一になるようにして設けてある。
【００８０】
張り出し部材３，３は、杭本体１に収容された状態において、羽根部３０，３０の裏面を案内面２５０，２５０上に載せ、下部側をふらつき防止部材２６，２６上に載せて、ふらつかないように安定した状態で設けてある。
【００８１】
（作  用）
本実施の形態で示す杭Ｋ３は、次のようにして張り出し部材３，３が張り出す。
杭本体１の収容部１５内に、上部開口部から所要長さを有する押圧棒６ａを入れる。本実施の形態で押圧棒６ａは、外径が補強リブ３１，３１の上端と当たり、内径が案内補強部材２５の上部側の幅より大きい円管形状を有するものを使用している。
杭本体１に入れた押圧棒６ａは、下端部を補強リブ３１，３１の上端に載せる。
そして、押圧棒６ａの上部（例えば、杭本体１の上部から出ている箇所（図示省略））を作業機械等で下方に押し込む。
【００８２】
押圧棒６ａが下方に押し込まれることで、案内補強部材２５の上部側を内部に収容しながら、押圧棒６ａの下端部によって張り出し部材３，３が押し下げられる。このとき張り出し部材３，３は下部側がふらつき防止部材２６，２６上に載せてあるので、張り出し部材３，３はふらつかずに案内補強部材２５の案内面２５０，２５０に沿って（孤を描きながら）移動し、先端側から開口部１０６，１０７より外方向（土中）に張り出す（図１１及び図１２参照）。
本実施の形態で示す杭Ｋ３の他の作用は、上記した杭Ｋ１，Ｋ２と略同じであるので説明は省略する。
【００８３】
図１３ないし図１８は本発明に係る杭の第４の実施の形態を示している。
図１３は張り出し部材を杭本体に内蔵した状態の杭を示す斜視説明図、
図１４は図１３で示す杭を矢印Ａの方向から見た状態の要部拡大断面図、
図１５は図１３で示す杭を矢印Ｂの方向から見た状態の要部拡大断面図、
図１６は張り出し部材を杭本体内から張り出した状態の杭を示す斜視説明図、
図１７は図１６で示す杭を矢印Ｃの方向から見た状態の要部拡大断面図、
図１８は図１６で示す杭を矢印Ｄの方向から見た状態の要部拡大断面図である
。
図１３ないし図１８において、上記図１ないし図１２で示したものと同一または同等箇所には同一の符号を付して示している。更に、以下の説明において構造について上記で示した箇所と重複する説明は、必要な事項を除き省略する。なお、図１４及び図１５、図１７及び図１８においては、短管体１０ａに内蔵された各部材（案内部材４ａ、ふらつき防止部材７０ａ、補強部材７１ａ、リブ１０２ａ以外）は断面せずに示している。
【００８４】
杭Ｋ４を構成する杭本体１ａは、所要の外径を有する短管体１０ａを備え、この上部に短管体１０ａの内径と略同じ外径を有する長尺状の管体１１ａを設けて形成してある。本実施の形態で示す短管体１０ａは、円筒形状を有する鋼管に底板１０１ａを設けて形成したが、これは限定するものではなく、例えば、角筒形状にすることもできるし、下端部には上記した先鋭部２を設けることもできる。また、木材、コンクリート、合成樹脂、これら（金属も含む）の複合物等によって形成されたものを使用することもできる。
【００８５】
管体１１ａは、コンクリート１１１ａを円筒形状に成形固化することで形成してある。また、管体１１ａの下部側には、外表面がコンクリート１１１ａの表面と略面一になるようにして短円筒形状の鋼管１１０ａが埋め込んである。更に、管体１１ａの下端面には、鋼管１１０ａと略同じ外径を有する薄板の円環体１１２ａが、鋼管１１０ａに溶接して設けてある。管体１１ａの形状や材料は特に限定するものではなく、例えば、角筒形状にすることもできるし、金属、木材、コンクリート、合成樹脂、これらの複合物等によって形成されたものを使用することもできる。
【００８６】
短管体１０ａと管体１１ａは、短管体１０ａの上側内周部に等間隔で四箇所にリブ１０２ａ・・・を設け、その上部に円環体１１２ａを載せて溶接することで繋いである。
【００８７】
短管体１０ａの底板１０１ａからやや上部にあたる周壁１００ａには、略「凵」型状を有する開口部１０６、１０７が内外部を貫通して形成してある。詳しくは、開口部１０６、１０７は、それぞれ略水平方向にのびた長方形状の開口部を備え、その開口部の両端から上方向に同様に長方形状の開口部を備えることで形成してある。開口部１０６，１０７は、短管体１０ａの中心に関して相対向するよう形成してある。
【００８８】
短管体１０ａ内の下部側には、張り出し部材３ａ、３ａ、張り出し部材３ａ、３ａの移動方向を案内する案内部材４ａ，４ａ、ふらつき防止部材７０ａ，７０ａ、案内部材４ａ，４ａとふらつき防止部材７０ａ，７０ａの取り付け状態を補強する補強部材７１ａ、７１ａが設けてある。
【００８９】
各張り出し部材３ａは、短管体１０ａの内径よりも幅方向の長さが短い長方形状の板状体を、長さ方向にむかって円弧状に曲げて羽根部３０ａとし、その曲げた内面側の両端に補強のための補強リブ３１ａ，３１ａを垂設して形成してある。
各張り出し部材３ａの基端側（図１４では上側）には、停止部材３２ａが補強リブ３１ａ，３１ａ間に架け渡して設けてある。
【００９０】
案内部材４ａは、短管体１０ａの内径よりも幅方向の長さが短く、所要の厚みを有する板状体を、底板１０１ａ上に垂直に立てて設けてある。案内部材４ａの上部側には、張り出し部材３ａ、３ａの移動方向を案内する案内面４０ａ，４０ａが、羽根部３０ａ、３０ａの裏面が沿う円弧形状を有するよう切り欠いて形成してある。
また、各案内面４０ａの下部側には、ふらつき防止部材７０ａを嵌めるための設置部４００ａが更に切り欠いて形成してある。
案内部材４ａは、案内面４０ａ、４０ａが開口部１０６，１０７と対応するよう短管体１０ａの直径方向に設けてある。
【００９１】
各補強部材７１ａは、短管体１０ａの内径よりも幅方向の長さが短い長方形状の板状体であり、所要位置には張り出し部材３ａが通過可能な略「凵」型状の開口部７１０ａが形成してある。詳しくは、開口部７１０ａは略水平方向にのびた長方形状の開口部を備え、その開口部の両端から上方向に同様に長方形状の開口部を備えることで形成してある。各補強部材７１ａは、案内部材４ａと直交するよう設置部４００ａ、４００ａ側の底板１０１ａ上に垂直に立てて、両端部を短管体１０ａの内周壁に固着して設けてある。
【００９２】
ふらつき防止部材７０ａ，７０ａは、板状体であり、一辺が短管体１０ａの内周壁に沿う円弧形状に形成してある。ふらつき防止部材７０ａ，７０ａは、円弧部分が開口部１０６、１０７の下縁部近傍に位置するよう設置部４００ａ，４００ａと開口部７１０ａ，７１０ａの下縁部上に載せて、表面が案内面４０ａ，４０ａの表面と略面一になるよう設けてある。
【００９３】
なお、杭Ｋ４は、鋼管とコンクリート管とを連結した複合杭を示したが、これは限定するものではなく、上記杭は例えば、鋼管のみで形成することもできるし、コンクリート管や合成樹脂製の管のみで形成することもできる。
【００９４】
（作  用）
本実施の形態で示す杭Ｋ４は、次のようにして張り出し部材３ａ、３ａが張り出す。
杭本体１ａを構成する管体１１ａの収容部１５内に、上部開口部から所要長さを有する押圧棒６ｂを入れる。本実施の形態で押圧棒６ｂは、外径が管体１１ａの内径よりやや小さく、内径が案内部材４ａの上部側の幅より大きい円管形状のものを使用している。
管体１１ａに入れた押圧棒６ｂは、下端部を各張り出し部材３ａの補強リブ３１ａ，３１ａの上端に載せる。
そして押圧棒６ｂの上部（例えば、杭本体１の上部から出ている箇所（図示省略））を作業機械等で下方に押し込む。
【００９５】
押圧棒６ｂが下方に押し込まれることで、案内部材４ａの上部側を内部に収容しながら、押圧棒６ｂの下端部によって張り出し部材３ａ，３ａが押し下げられて下降する。張り出し部材３ａ、３ａは、停止部材３２ａ、３２ａが補強部材７１ａ、７１ａの内壁に当たったところで動きが止まる。
本実施の形態で示す杭Ｋ４の他の作用は、上記した杭Ｋ１，Ｋ２，Ｋ３と略同じであるので説明は省略する。
【００９６】
図１９ないし図２４は本発明に係る杭の第５の実施の形態を示している。
図１９は張り出し部材を杭本体に内蔵した状態の杭を示す斜視説明図、
図２０は図１９で示す杭を矢印Ａの方向から見た状態の要部拡大断面図、
図２１は図１９で示す杭を矢印Ｂの方向から見た状態の要部拡大断面図、
図２２は張り出し部材を杭本体内から張り出した状態の杭を示す斜視説明図、
図２３は図２２で示す杭を矢印Ｃの方向から見た状態の要部拡大断面図、
図２４は図２２で示す杭を矢印Ｄの方向から見た状態の要部拡大断面図である。
図１９ないし図２４において、上記図１ないし図１８で示したものと同一または同等箇所には同一の符号を付して示している。更に、以下の説明において構造について上記で示した箇所と重複する説明は、必要な事項を除き省略する。なお、図２０及び図２１、図２３及び図２４においても、杭本体に内蔵された各部材（案内部材２０以外）は断面せずに示している。
【００９７】
杭Ｋ５を構成する杭本体１の相対向する側壁１０２、１０３において、開口部１０６、１０７よりやや上部にあたる部分には、略逆「Ｔ」字（型）状を有する開口部１０８、１０９が内外部を貫通して形成してある。開口部１０８、１０９は、開口部１０６、１０７と同じ形状を有している。開口部１０８，１０９は、側壁１０２，１０３において相対向するよう形成してある。
【００９８】
杭本体１内の下部側には、四つの張り出し部材３が上下二段に二つずつ設けてある。下段の張り出し部材３，３は開口部１０６，１０７に対応させて、上段の張り出し部材３，３は開口部１０８，１０９に対応させて設けてある。
各張り出し部材３は、杭本体１に収容された状態において、対応する案内部材４の案内面４０上に、羽根部３０を載せて設けてある。
【００９９】
（作  用）
本実施の形態で示す杭Ｋ５は、次のようにして張り出し部材３，３が張り出す。
杭本体１の収容部１５内に、上部開口部から所要長さを有する押圧棒６ｃを入れる。本実施の形態で押圧棒６ｃは、外径が相対向する案内部材４，４の間（間隔の幅）より小さく、かつ下端部が補強リブ３１の上端に載る、円管形状のものを使用している。
【０１００】
杭本体１に入れた押圧棒６ｃは、まず、下端部を上段の張り出し部材３，３の補強リブ３１，３１の上端に載せる。
この状態で押圧棒６ｃの上部（例えば、杭本体１の上部から出ている箇所（図示省略））を作業機械等で下方に押し込む。
【０１０１】
押圧棒６ｃが下方に押し込まれることで、押圧棒６ｃの下端部によって張り出し部材３，３が押し下げられて下降する。こうして張り出し部材３，３は案内部材４，４に沿って（孤を描きながら）移動し、他端側から開口部１０８，１０９より外方向（土中）に張り出す。
【０１０２】
上段の張り出し部材３，３が外方向に張り出すことにより、この張り出し部材３，３の基端側の間が広く形成される。これにより押圧棒６ｃは、この間を通って更に下部側へ入り込む。こうして押圧棒６ｃの下端部を下段の張り出し部材３，３の補強リブ３１，３１の上端に載せる。
【０１０３】
この状態で再び、押圧棒６ｃの上部を作業機械等で下方に押し込む。
これにより下段の張り出し部材３，３も押し下げられて、開口部１０６，１０７より外方向（土中）に張り出す。
本実施の形態で示す杭Ｋ５の他の作用は、上記した杭Ｋ１，Ｋ２，Ｋ３，Ｋ４と略同じであるので説明は省略する。
【０１０４】
図２５は本発明に係る杭の第６の実施の形態を示す要部拡大断面説明図である。
図２５において、上記図１ないし図２４で示したものと同一または同等箇所には同一の符号を付して示している。更に、以下の説明において構造について上記で示した箇所と重複する説明は、必要な事項を除き省略する。なお、図２５においても、杭本体に内蔵された各部材（案内補強部材２５、ふらつき防止部材２６以外）は断面せずに示している。
【０１０５】
杭Ｋ６を構成する張り出し部材３ｂ，３ｂは、円弧形状を有する羽根部３０ｂ、３０ｂが、先端側が細く、基端側につれて除々と厚みが増すよう形成してある。また、各羽根部３０ｂの基端側（図２５では上側）には、停止部３２ｂが、側面視略三角形状を有する塊状で、羽根部３０ｂと一体になるよう設けてある。また、羽根部３０ｂの中央付近には、表面から裏面に貫通した貫通孔３００が形成してある。本実施の形態で示す張り出し部材３ｂ，３ｂは、鋳鉄を鋳型に流し込んでつくったが、これは限定するものではない。張り出し部材３ｂ，３ｂは、例えば、削り出してつくることもできる。また、張り出し部材３ｂ，３ｂは、他の金属、合成樹脂、コンクリート、これら（鋳鉄を含む）の複合物等によって形成したものを使用することもできる。
【０１０６】
張り出し部材３ｂ，３ｂが杭本体１に収容された状態において、貫通孔３００と対応する案内面２５０，２５０には、それぞれ所要の径を有する凹穴２５２，２５２が形成してある。
張り出し部材３ｂ、３ｂは、杭本体１に内蔵された状態において、貫通孔３００を通して凹穴２５２に仮留め部材３４を差し込むことで、不意に外方向に張り出さないよう仮固定してある。仮留め部材３４は、一定以上の力をかけることで破壊可能な合成樹脂で形成したが、これは限定するものではなく、例えば、木材やゴム製のもの等を使うこともできる。
【０１０７】
張り出し部材３ｂ，３ｂが外方向に突出する開口部１０６ａ、１０７ａは、上記した開口部１０６，１０７よりもやや開口が大きく形成してある。また、土中に打ち込み前の側壁１００、１０１の外面には、開口部１０６ａ、１０７ａの開口を塞ぐようにシート１２が貼付してある。これにより打ち込み時において土が開口部１０６ａ、１０７ａから杭本体１内に入らないようにしてある。シートとしては、特に限定するものではないが、例えば、粘着層を有するシール等が使用できる。また、シートを構成する材料も特に限定するものではなく、例えば、紙、合成樹脂、ゴム、金属、木材、これらの複合物等によって形成したものが使用できる。
【０１０８】
（作  用）
本実施の形態で示す杭Ｋ６は、次のようにして張り出し部材３ｂ、３ｂが張り出す。
杭本体１の収容部１５内に、上部開口部から所要長さを有する押圧棒６ａを入れる。
杭本体１に入れた押圧棒６ａは、下端部を停止部３２ｂ、３２ｂの上端に載せる。
そして、押圧棒６ａの上部（例えば、杭本体１の上部から出ている箇所（図示省略））を作業機械等で下方に押し込む。
【０１０９】
張り出し部材３ｂ、３ｂは、押圧棒６ａを下方に押し込むことで、仮固定していた仮留め部材３４を破壊して、杭本体１の内側からシート１２を突き破って、先端側から外方向（土中）に開口部１０６ａ，１０７ａより突出して張り出す。
張り出し部材３ｂ、３ｂは、基端側につれて除々と厚みが増すよう形成してあり、羽根部３０ｂ、３０ｂの強度が構造的に板状のものより高くなっているので、上記したような補強リブを設けなくても十分な強度を備えることが可能である。
【０１１０】
本実施の形態で示す杭Ｋ６の他の作用は、上記した杭Ｋ１，Ｋ２，Ｋ３，Ｋ４，Ｋ５と略同じであるので説明は省略する。
【０１１１】
図２６及び図２７は本発明に係る杭の第７の実施の形態を示している。
図２６は張り出し部材を杭本体に内蔵した状態を示す要部拡大断面図、
図２７は図２５に示す状態から張り出し部材を外方向に張り出した状態の杭を示す要部拡大断面図である。
図２６及び図２７において、上記図１ないし図２５で示したものと同一または同等箇所には同一の符号を付して示している。更に、以下の説明において構造について上記で示した箇所と重複する説明は、必要な事項を除き省略する。なお、図２６及び図２７においても、杭本体に内蔵された各部材（案内補強部材２５以外）は断面せずに示している。
【０１１２】
符号６ｄは、張り出し部材３を外方向に張り出すよう操作する押圧棒であり、杭本体１の収容部１５内に収容して設けてある。押圧棒６ｄは、所要長さを有するロッド本体６０ｄを備えている。本実施の形態でロッド本体６０ｄは、円管形状のものを使用している。
【０１１３】
ロッド本体６０ｄの下端部には、杭本体１の内径よりもやや径小な外径を有する円板状の押さえ部材６１ｄが固着してある。押さえ部材６１ｄは、ロッド本体６０ｄの外周面に設けられたリブ６００ｄにより固着状態が補強してある。
【０１１４】
押さえ部材６１ｄの裏面の縁部側には、相対向するようにして二箇所に、板形状を有するリンク部材６２ｄの一辺側が蝶番６３ｄを介して回動可能に連結してある。リンク部材６２ｄは下向きに垂らしてあり、他辺側が、羽根部３０の基端側（図２６において上側）に板状体を立てて形成した連結部３３と蝶番６４ｄを介して回動可能に連結してある。
【０１１５】
ロッド本体６０ｄの上部側には、押圧棒６ｄを引き上げるための引掛部材６５ｄが外周面に固着して設けてある。引掛部材６５ｄは、ロッド本体６０ｄを挟んで相対向するよう二箇所に設けてある。
【０１１６】
（作  用）
本実施の形態で示す杭Ｋ７は、次のようにして張り出し部材３が張り出す。
杭本体１の内部に収容してある押圧棒６ｄの上部を作業機械等で下方に押し込む。
押圧棒６ｄが下方に押し込まれることで、蝶番６３ｄや蝶番６４ｄが回動し、これと連結してあるリンク部材６２ｄが張り出し部材３，３を押し下げながら下降する。こうして張り出し部材３，３は外方向（土中）に張り出す。
【０１１７】
また、杭Ｋ７は、次のようにして張り出した張り出し部材３を杭本体１内に収容できる。
押圧棒６ｄは、杭本体１内に収容された引掛部材６５ｄに引張具等を引っ掛け、上方に引き上げる。これにより蝶番６３ｄや蝶番６４ｄが回動し、リンク部材６２ｄ、６２ｄを介して張り出し部材３，３が追従して引き上げられる。こうして張り出し部材３，３は、外方向（土中）に張り出していた状態から杭本体１内に収容される。
このように杭Ｋ６によれば、一旦土中へ張り出した場合でも、再び張り出し部材３を杭本体１内に収容できるので、引き抜きも簡単であり、例えば杭の撤去する際の作業が容易である。
本実施の形態で示す杭Ｋ７の他の作用は、上記した杭Ｋ１，Ｋ２，Ｋ３，Ｋ４，Ｋ５，Ｋ６と略同じであるので説明は省略する。
【０１１８】
本実施の形態で押圧棒６ｄと張り出し部材３，３は、リンク部材６２ｄ及び蝶番６３ｄ、６４ｄにより連結したが、これは限定するものではなく、例えば、紐体（ワイヤーロープ等）で連結することもできる。
【０１１９】
図２８ないし図３０は本発明に係る杭の第８の実施の形態を示している。
図２８は張り出し部材を杭本体に内蔵した状態の杭と押圧棒を示す斜視説明図、
図２９は張り出し部材を杭本体に内蔵した状態の杭を示す要部拡大断面図、
図３０は図２９に示す状態から張り出し部材を外方向に張り出した状態を示す要部拡大断面図である。
図２８ないし図３０において、上記図１ないし図２７で示したものと同一または同等箇所には同一の符号を付して示している。更に、以下の説明において構造について上記で示した箇所と重複する説明は、必要な事項を除き省略する。なお、図２９及び図３０においても、杭本体に内蔵された各部材は断面せずに示している。
【０１２０】
杭Ｋ８を構成する杭本体１の先鋭部２ａは、杭本体１の下部に取り外し可能に設けてある。先鋭部２ａは、先端が尖った中空四角錐形状に形成してあり、合成樹脂により一体成形してある。先鋭部２ａにおける杭本体１の接合側には、全周にわたり杭本体１内に収容される嵌合壁２０ａが、外縁部よりやや内側の部分に立てて形成してある。嵌合壁２０ａのうち杭本体１の各側壁１００，１０１，１０２，１０３と対応する部分には、ネジ孔２００ａが形成してある。
【０１２１】
杭本体１の下部の各側壁１００，１０１，１０２，１０３には、先鋭部２ａのネジ孔２００ａと対応する部分に貫通孔１３が形成してある。
【０１２２】
先鋭部２ａは、嵌合部２０ａを杭本体１内に差し込み、貫通孔１３を通してネジ孔２００ａにボルトＢをねじ込んで取り付けてある。
【０１２３】
杭本体１内の下部側には、張り出し部材３ｃ，３ｃ、張り出し部材３ｃ，３ｃの移動方向を案内する案内部材が設けてある。
【０１２４】
各張り出し部材３ｃの補強リブ３１ｃは、基端部の上角部が鋭角になるよう縁部が傾斜して形成してある。補強リブ３１ｃの基端部（図２９では上側）には、停止部材３２ｃが下部側を羽根部３０ｃよりやや延出させて設けてある。停止部材３２ｃの延出した部分の下側両端部には、切欠部３２０ｃ、３２０ｃが形成してある。
【０１２５】
案内部材は、杭本体１の側壁１０２と側壁１０３（図２９及び図３０において符号１０２は図示されていない）にそれぞれ設けられるボルト４１ａ、４１ｂ、４１ｃ、４１ｄ、４１ｅ、４１ｆ、４１ｇ、４１ｈと、側壁１００と側壁１０１の所要位置にそれぞれ設けられるボルト４２を備えて構成してある。ボルト４１ａ、４１ｂ、４１ｃ、４１ｄは、張り出し部材３ｃ、３ｃを張り出すときに力を受けるので、破損防止のために軸部がボルト４１ｅ、４１ｆ、４１ｇ、４１ｈよりも径大なものを使用している。また、ボルト４２は先端部が丸く形成してあり、側壁１００、１０１に取り付けたときに、収容した張り出し部材３ｃの補強リブ３１ｃと当たる長さにしてある。
【０１２６】
ボルト４１ａ、４１ｂ、４１ｃ、４１ｄ、４１ｅ、４１ｆ、４１ｇ、４１ｈは、側壁１０２と側壁１０３のそれぞれに内外部を貫通したネジ孔１０４ａ，１０４ｂ，１０４ｃ，１０４ｄ，１０４ｅ，１０４ｆ，１０４ｇ，１０４ｈを形成して、このネジ孔に外方向からねじ込んで、先部を杭本体１の内方に突出させて取り付けてある。
【０１２７】
詳しくは、ボルト４１ａ、４１ｂは、開口部１０６，１０７の下縁部近傍に位置するネジ孔１０４ａ，１０４ｂに取り付けてあり、ボルト４１ｃ、４１ｄはこれより中央側でやや上部にあたるネジ孔１０４ｃ、１０４ｄに取り付けてあり、更に、ボルト４１ｅ、４１ｆはボルト４１ｃ、４１ｄの上部にあたるネジ孔１０４ｅ，１０４ｆに取り付けてある。ボルト４１ｇ、４１ｈは、杭本体１に収容した状態の張り出し部材３ｃ，３ｃの停止部材３２ｃ、３２ｃが当たるように、両外側のネジ孔１０４ｇ、１０４ｈに取り付けてある。
【０１２８】
ボルト４２，４２は、開口部１０６と開口部１０７の上部側にネジ孔１０５、１０５を形成し、このネジ孔１０５，１０５にそれぞれ外方向からねじ込んで、先部を杭本体１の内方に突出させて取り付けてある。
【０１２９】
張り出し部材３ｃ，３ｃは、杭本体１に収容された状態において、杭本体１の内方に突出したボルト４１ａ，４１ｂ，４１ｃ，４１ｄ上に羽根部３０ｃを載せて、ボルト４１ｅ，４１ｆに羽根部３０ｃの上部側を当て、更に、ボルト４２、４２の先端部に補強リブ３１ｃ、３１ｃを当てて設けてある（図２９参照）。
なお、本実施の形態において張り出し部材３ｃ，３ｃは、ボルト４１ａ，４１ｂ，４１ｃ，４１ｄ，４１ｅ，４１ｆ及びボルト４２に当てて設けたが、これは限定するものではなく、例えば、ボルトが所定の位置に取り付けられていない場合では、当たらないボルトが発生する場合がある。
【０１３０】
ボルト４１ｇ，４１ｈは、張り出し部材３ｃ，３ｃを杭本体１内に収容した後に、停止部材３２ｃ、３２ｃと当たるまたは実質的に当たるように取り付けてある。
【０１３１】
押圧棒６ｅは、杭本体１内に収容された張り出し部材３ｃ，３ｃを上部側から押して開口部１０６，１０７から突出させるものである。押圧棒６ｅは、杭Ｋ８よりも長さの短い、下部側に先鋭部６１ｅを有する合成樹脂製の中実の柱状体であり、外面（側面）と杭本体１の内面との間にやや隙間ができる大きさに形成してある。
【０１３２】
押圧棒６ｅの各外面と角部に相当する箇所には、杭本体１内に突出したボルト４１ａ、４１ｂ、４１ｃ、４１ｄ、４１ｅ、４１ｆ、４１ｇ、４１ｈや、ボルト４２が引っ掛からないようにするための切欠部６０ｅが形成してある。切欠部６０ｅは、押圧棒６ｅを杭本体１内に入れたときに、内方に突出したボルト４１ａ、４１ｂ、４１ｃ、４１ｄ、４１ｇ、４１ｈの軸部が接触して、これと摺動することで移動方向が案内されるよう形成してある（図３０参照）。
【０１３３】
本実施の形態において先鋭部２ａは、合成樹脂で形成したものを示したが、これは限定するものではなく、例えば、金属、コンクリート、これら（合成樹脂も含む）の複合物等によって形成したものが使用できる。また、製造も一体成形したものに限定するものではない。
また、本実施の形態において先鋭部２ａは、ボルトＢをネジ孔２００ａにねじ込んで杭本体１に取り付けたが、これは限定するものではなく、例えば、嵌合部２０ａに孔を形成し、貫通孔１３を通してピンをこの孔に挿し込んで取り付けることもできる。
【０１３４】
本実施の形態では案内部材を構成するものとしてボルトを使用したが、これは限定するものではなく、側壁の外方向から挿し込んで杭本体内に突出させて、内蔵した張り出し手段が当たる部分を形成できるものであれば、例えば、ピンや単なる棒状のもの等が使用できる。
【０１３５】
押圧棒６ｅは、合成樹脂で形成したものを示したが、これも限定するものではなく、例えば、金属、コンクリート、これら（合成樹脂も含む）の複合物等によって形成したものが使用できる。
【０１３６】
（作  用）
本実施の形態で示す杭Ｋ８は、次のようにして張り出し部材３ｃ，３ｃが張り出す。
杭本体１の収容部１５内に、上部開口部から所要長さを有する押圧棒６ｅを入れる。杭本体１に入れた押圧棒６ｅは、先鋭部６１ｅを停止部材３２ｃ、３２ｃ上に載せる。
そして、押圧棒６ｅの上部を作業機械等で下方に押し込む。
【０１３７】
押圧棒６ｅが下方に押し込まれることで、先鋭部６１ｅによって張り出し部材３ｃ，３ｃが押し下げられて下降する。このとき押圧棒６ｅは、切欠部６０ｅがボルト４１ａ、４１ｂ、４１ｃ、４１ｄ、４１ｇ、４１ｈの軸部と接触して、これと摺動することで移動方向が案内される。
【０１３８】
張り出し部材３ｃ，３ｃは、杭本体１に収容された状態において、羽根部３０ｃ，３０ｃが杭本体１の内方に突出したボルト４１ａ，４１ｂ，４１ｃ，４１ｄ，４１ｅ，４１ｆに当ててあり、更に、補強リブ３１ｃ、３１ｃがボルト４２，４２の先端部に当てて設けてあるので、これらに案内されて（孤を描きながら）移動し、先端側から開口部１０６，１０７より外方向（土中）に張り出す（図３０参照）。なお、張り出し部材３ｃ，３ｃは、停止部材３２ｃ、３２ｃが下部側を羽根部３０ｃよりやや延出させて設けてあるが、停止部材３２ｃ、３２ｃに切欠部３２０ｃ、３２０ｃを設けているので、移動中にボルト４１ａ，４１ｂ，４１ｃ，４１ｄ，４１ｅ，４１ｆは引っ掛からない。
【０１３９】
外方向に張り出した張り出し部材３ｃ，３ｃは、停止部材３２ｃ、３２ｃが杭本体１の内面と当たり、更に、押圧棒６ｅの外面（側面）が停止部材３２ｃ、３２ｃと当たった状態になる。つまり、張り出し部材３ｃ，３ｃは、張り出すことで押圧棒６ｅによって固定され、杭本体１に対してがたつきが少ない状態で設けられる。
【０１４０】
各張り出し部材３ｃは、停止部材３２ｃの下部側が羽根部３０よりやや延出するよう設けてあり、この部分が杭本体１の内面と当たるので、特に下側から上側に向かう沈下方向の力に対しては耐力が高い。
【０１４１】
杭Ｋ８は、張り出し部材３ｃ，３ｃの移動を案内する案内部材が、杭本体１を構成する側壁１０２，１０３にボルト４１ａ，４１ｂ，４１ｃ，４１ｄ，４１ｅ，４１ｆ，４１ｇ，４１ｈを外方向から取り付け、側壁１００，１０１にボルト４２を取り付けることで構成できるので、杭本体１の内部を溶接するような作業がなく、製造が簡単である。
【０１４２】
杭Ｋ８は、通常、杭本体１を横に倒した状態で運搬等される。杭Ｋ８は、停止部材３２ｃ、３２ｃがボルト４１ｇ、４１ｈと当たって、張り出し部材３ｃ，３ｃの動きが制御されているので、このように横に倒した状態にしても張り出し部材３ｃ，３ｃは、杭本体１内に収容された所定位置から移動しない。従って、杭Ｋ８は、横に倒していた状態から立てて施工する場合でも、収容された張り出し部材３ｃ，３ｃの位置を気にしないで良く、迅速な施工が可能である。
【０１４３】
杭Ｋ８は、先鋭部２ａが杭本体１から取り外し可能に設けてあるので、先鋭部２ａを取り外せば、杭本体１内に収容した押圧棒６ｅを杭本体１の下部側から抜いて取り出すことができる。従って、例えば、土中から撤去等された使用済みのものでも、押圧棒６ｅを取り出して、再び張り出し部材３ｃ，３ｃを杭本体１内に収容した状態にすれば、また使用することができる。
【０１４４】
本実施の形態において押圧棒６ｅは、杭Ｋ８よりも長さの短いものを使用したが、これは限定するものではない。
本実施の形態で示す杭Ｋ８の他の作用は、上記した杭Ｋ１，Ｋ２，Ｋ３，Ｋ４，Ｋ５，Ｋ６，Ｋ７と略同じであるので説明は省略する。
【０１４５】
図３１及び図３２は本発明に係る杭の第９の実施の形態を示している。
図３１は張り出し部材を杭本体に内蔵した状態の杭を示す断面説明図、
図３２は図３１に示す状態から張り出し部材を外方向に張り出した状態を示す断面説明図である。
図３１及び図３２において、上記図１ないし図３０で示したものと同一または同等箇所には同一の符号を付して示している。更に、以下の説明において構造について上記で示した箇所と重複する説明は、必要な事項を除き省略する。なお、図３１及び図３２においても、杭本体に内蔵された各部材（案内補強部材２５，ふらつき防止部材２６以外）は断面せずに示している。
【０１４６】
杭Ｋ９を構成する杭本体１内の下部側には、張り出し部材３，３が基端側を下側にした状態で収容されている。各張り出し部材３の基端部にはブラケット３５が設けてある。ブラケット３５，３５は、張り出し部材３，３を張り出したときに案内補強部材２５と当たらない位置に設けてある。
【０１４７】
ブラケット３５，３５には、引き上げ手段である所要長さを有するワイヤーロープ８０の一端が固着してある。ワイヤーロープ８０，８０は、他端側が杭本体１の収容部１５より外部に取り出してあり、他端には環形状を有する係合部材８１が取り付けてある。
また、ブラケット３５，３５間には、所要の弛みをもってワイヤーロープ８２が架け渡してある。
【０１４８】
杭本体１内に収容された張り出し部材３，３の上側には、案内補強部材２５とふらつき防止部材２６が、案内面２５０，２５０を下側に向けた状態で設けてある。
【０１４９】
（作  用）
本実施の形態で示す杭Ｋ９は、次のようにして張り出し部材３，３が張り出す。
杭Ｋ９を土中に打ち込んだ後、係合部材８１を作業機械等に引っ掛けてワイヤーロープ８０，８０を上方に引き上げる。なお、このとき杭Ｋ９は、必要であれば作業機械等で押さえておき、一緒に引き上げられないようにする。
【０１５０】
係合部材８１を引き上げることにより、張り出し部材３，３が杭本体１に収容された状態から上昇し、案内面２５０等に案内されて（孤を描きながら）移動し、先端側から開口部１０６，１０７より外方向（土中）に張り出す（図３２参照）。
【０１５１】
このように杭Ｋ９では、係合部材８１を引き上げることで張り出し部材３，３を張り出しているので、張り出しが無振動でまたは少ない振動でできる。
【０１５２】
なお、ワイヤーロープ８０は、張り出し部材３，３を張り出した後において、張力がかかった状態を維持していても良いし、緩めても良い。
【０１５３】
また、杭Ｋ９は、ブラケット３５，３５間にワイヤーロープ８２が架け渡してあるので、例えば、張り出し部材３，３を張り出した場合でも、杭本体１の上部開口部から棒状体等を入れてワイヤーロープ８２を押し下げるようにすれば、張り出し部材３，３を杭本体１内に収容することができる。
【０１５４】
本実施の形態において張り出し部材３，３を引き上げる引き上げ手段はワイヤーロープ８０を使用したが、これは限定するものではなく、例えば、チェーン（鎖）、紐状体、帯状体等が使用できる。更に、実用に支障のない強度を備えるものであれば、材料も金属製のものに限定するものではなく、例えば、合成樹脂や金属を含んだ複合物等が使用可能である。
【０１５５】
また、ワイヤーロープ８０の他端に設けた係合部材８１の形状も、作業機械によって引き上げることができれば、特に限定するものではない。
本実施の形態で示す杭Ｋ９の他の作用は、上記した杭Ｋ１，Ｋ２，Ｋ３，Ｋ４，Ｋ５，Ｋ６，Ｋ７，Ｋ８と略同じであるので説明は省略する。
【０１５６】
図３３ないし図３５は本発明に係る杭の第１０の実施の形態を示している。
図３３は張り出し部材を杭本体に内蔵した状態の杭と押圧棒を示す斜視説明図、
図３４は張り出し部材を杭本体に内蔵した状態の杭を示す要部断面説明図、
図３５は図３４に示す状態から張り出し部材を外方向に張り出した状態を示す要部断面説明図である。
図３３ないし図３５において、上記図１ないし図３２で示したものと同一または同等箇所には同一の符号を付して示している。更に、以下の説明において構造について上記で示した箇所と重複する説明は、必要な事項を除き省略する。なお、図３４及び図３５においても、杭本体に内蔵された各部材は断面せずに示している。
【０１５７】
杭Ｋ１０を構成する杭本体１の側壁１００には、開口部１０６が形成してあり、相対向する側壁１０１には、開口部１０７が開口部１０６よりも高い位置に形成してある。また、側壁１００及び側壁１０１の上部開口部近傍には、押圧棒６ｆの入れる向きを示す目印１４が付けてある。
【０１５８】
杭本体１内の下部側には、二つ張り出し部材３ｃ、３ｃが上下二段に設けてある。下段の張り出し部材３ｃは開口部１０６に対応させて、上段の張り出し部材３ｃは開口部１０７に対応させて設けてある。
【０１５９】
下段の張り出し部材３ｃは、側壁１０２と側壁１０３のそれぞれに形成したネジ孔１０４ａ，１０４ｂ、１０４ｃ、１０４ｄにボルト４３ａ、４３ｂ、４３ｃ、４３ｄをねじ込み、杭本体１の内方に突出した部分に羽根部３０ｃを載せて、更に、側壁１００に形成したネジ孔１０５にボルト４２をねじ込んで、その先端部を補強リブ３１ｃに当てて設けてある（図３４参照）。
【０１６０】
また、上段の張り出し部材３ｃは、側壁１０２と側壁１０３のそれぞれに形成したネジ孔１０４ｆ，１０４ｇ、１０４ｈ、１０４ｉにボルト４３ｆ、４３ｇ、４３ｈ、４３ｉをねじ込み、杭本体１の内方に突出した部分に羽根部３０ｃを載せて、更に、側壁１０１に形成したネジ孔１０５にボルト４２をねじ込んで、その先端部を補強リブ３１ｃに当てて設けてある（図３４参照）。
【０１６１】
ボルト４３ｅ、４３ｊは、上下の張り出し部材３ｃ，３ｃを杭本体１内に収容した後に、側壁１０２と側壁１０３に形成したネジ孔１０４ｅ、１０４ｊにねじ込んで、停止部材３２ｃ、３２ｃと当たるまたは実質的に当たるように取り付けてある。
【０１６２】
側壁１０１のうち開口部１０６と相対向する高さの位置の二箇所には、スペーサであるボルト４４，４４が外方向からねじ込んで、先部を杭本体１の内方に所要長さ突出させて設けてある。
また、側壁１００のうち開口部１０７と相対向する高さの位置の二箇所にも、ボルト４４，４４が同様に先部を所要長さ突出させて設けてある。
ボルト４４・・・は、杭本体１内に入れた押圧棒６ｆの外面と先端を接触させて、押圧棒６ｆを杭本体１内の所定位置で固定するためのものである。
【０１６３】
押圧棒６ｆは、下部側に先鋭部６１ｆを有する合成樹脂製の中実の柱状体であり、外面（側面）と杭本体１の内面との間にやや隙間ができる大きさに形成してある。詳しくは、内方に突出したボルト４３ａ，４３ｂ，４３ｃ，４３ｄ，４３ｅ，４３ｆ，４３ｇ，４３ｈ，４３ｉ，４３ｊと対応する側の各外面が、ボルト４３ａ〜４３ｊの先端と接触して、これと摺動することで移動方向が案内される断面長方形状に形成してある。
また、押圧棒６ｆの張り出し部材３ｃ，３ｃと対応する側の各外面には、ボルト４２が引っ掛からないようにするための切欠部６０ｆが形成してある。
【０１６４】
（作  用）
本実施の形態で示す杭Ｋ１０は、次のようにして張り出し部材３ｃ，３ｃが張り出す。
杭本体１の収容部１５内に、上部開口部から押圧棒６ｆを入れる。押圧棒６ｆは、切欠部６０ｆが形成してある側の外面と、目印１４が設けてある側壁１００，１０１とを対応させて入れる。
杭本体１に入れた押圧棒６ｆは、まず、先鋭部６１ｆを上段の張り出し部材３ｃの停止部材３２ｃ上に載せる。
そして、押圧棒６ｆの上部を作業機械等で下方に押し込む。
【０１６５】
押圧棒６ｆが下方に押し込まれることで、先鋭部６１ｆによって上段の張り出し部材３ｃが押し下げられて下降する。こうして上段の張り出し部材３ｃがボルト４３ｆ、４３ｇ，４３ｈ，４３ｉに案内されて（孤を描きながら）移動し、先端側から開口部１０７より外方向（土中）に張り出す（図３５参照）。
【０１６６】
上段の張り出し部材３ｃが外方向に張り出すことにより、杭本体１内に空間ができ、これにより押圧棒６ｆは更に下部側へ入り込む。このとき押圧棒６ｆは、外面が上側のボルト４４，４４の先端と接触し、これと摺動することで移動方向が案内される。こうして押圧棒６ｆの先鋭部６１ｆを下段の張り出し部材３ｃの停止部材３２ｃ上に載せる。
【０１６７】
この状態で再び、押圧棒６ｆの上部を作業機械等で下方に押し込む。
これにより下段の張り出し部材３ｃも押し下げられて、開口部１０６より外方向（土中）に張り出す（図３５参照）。押圧棒６ｆは、外面が下側のボルト４４，４４の先端と接触し、これと摺動して移動方向が案内される。
【０１６８】
張り出し部材３ｃ、３ｃを張り出した押圧棒６ｆは、ボルト４４・・・とボルト４３ａ，４３ｂ，４３ｃ，４３ｄ，４３ｅ，４３ｆ，４３ｇ，４３ｈ，４３ｉ，４３ｊの先端が外面に接触していることにより、杭本体１内の所定位置で固定される。
【０１６９】
また、外方向に張り出した張り出し部材３ｃ，３ｃは、停止部材３２ｃ、３２ｃが杭本体１の内面と当たり、更に、押圧棒６ｆの外面（側面）が停止部材３２ｃ、３２ｃと当たるので、押圧棒６ｆによって固定される。
【０１７０】
杭Ｋ１０によれば、張り出し部材３ｃを一つずつ張り出すことができるので、二つの張り出し部材を同時に張り出す場合よりも、押圧棒６ｆを押し込む力が小さくて済む。
また、杭本体１の大きさを変えない場合では、二つの張り出し部材を同時に張り出すものよりも、張り出し部材の張り出し長さを長く設定することが可能である。
本実施の形態で示す杭Ｋ１０の他の作用は、上記した杭Ｋ１，Ｋ２，Ｋ３，Ｋ４，Ｋ５，Ｋ６，Ｋ７，Ｋ８，Ｋ９と略同じであるので説明は省略する。
【０１７１】
図３６ないし図３８は本発明に係る杭の第１１の実施の形態を示している。
図３６は張り出し部材を杭本体に内蔵した状態の杭を示す要部拡大断面図、
図３７は図３６に示す状態から張り出し部材を外方向に張り出した状態を示す要部拡大断面図、
図３８は図３７に示す状態の杭を示す平面図である。
図３６ないし図３８において、上記図１ないし図３５で示したものと同一または同等箇所には同一の符号を付して示している。更に、以下の説明において構造について上記で示した箇所と重複する説明は、必要な事項を除き省略する。なお、図３６及び図３７においても、杭本体に内蔵された部材（張り出し部材３ｄ）は断面せずに示している。
【０１７２】
杭Ｋ１１を構成する杭本体１は、二つのＣ型鋼を組み合わせて略四角筒形状を有するよう形成してある。一方のＣ型鋼により形成される杭本体１の側壁１０１には開口部１０７が形成してあり、相対向する他方のＣ型鋼により形成される側壁１００には、開口部１０６が開口部１０７よりも高い位置に形成してある。
【０１７３】
杭本体１内の下部側には、一対ある張り出し部材３ｄ、３ｄが、上下二段にそれぞれ開口部１０６，１０７に対応させて設けてある。各張り出し部材３ｄは、不等辺山形鋼を使用して、平板状の板部材３０ｄの下端部に、同じく平板状の板部材３１ｄを直交して設けた側面視略「Ｌ」型状を有するよう形成してある。各張り出し部材３ｄは、杭本体１に内蔵できるようにＣ型鋼の内幅より幅方向の長さが短く形成してあり、板部材３０ｄの上縁側には厚み部分を削って取付凹部３２ｄが形成してある。取付凹部３２ｄには蝶番３３ｄが板部材３０ｄの厚み部分内に収まるように嵌められて溶接により固定してある。本実施の形態で張り出し部材３ｄは、不等辺山形鋼を使用したが、これは限定するものではなく、別体の部材を繋いだ（接合した）ものを使用しても良い。
【０１７４】
下段の張り出し部材３ｄは、板部材３１ｄが開口部１０７から貫通して外方向に張り出し可能なように、蝶番３３ｄを側面１０１の内面に溶接して取り付けてある。また、上段の張り出し部材３ｄは、板部材３１ｄが開口部１０６から貫通して外方向に張り出し可能なように、蝶番３３ｄを側面１００の内面に溶接して取り付けてある。
【０１７５】
杭本体１はＣ型鋼を組み合わせて形成しているので、側壁１０２，１０３の内面には突出部１６が内方に突出しているが、突出部１６のうち張り出し部材３ｄ、３ｄが設けられた箇所と対応する箇所は、取り除いて突出しないようにしてある。これにより張り出し部材３ｄ、３ｄは、杭本体１に内蔵された状態で突出部１６に当たらない。
【０１７６】
土中に打ち込み前の側壁１００、１０１の外面には、開口部１０６、１０７の開口を塞ぐようにシート１２が貼付してある。
【０１７７】
押圧棒６ｇは、杭Ｋ１１よりも長さの短い、下部側に先細部６１ｇを有する合成樹脂製の中実の柱状体であり、外面（側面）と杭本体１の内面との間にやや隙間ができる大きさに形成してある。側面１０２，１０３に対応する側の各外面には、突出部１６に当たって引っ掛かることがないようにするための切欠部６０ｇが形成してある。
【０１７８】
（作  用）
本実施の形態で示す杭Ｋ１１は、次のようにして張り出し部材３ｄ，３ｄが張り出す。
杭本体１の収容部１５内に、上部開口部から押圧棒６ｇを入れる。押圧棒６ｇは、切欠部６０ｇを突出部１６に対応させて、この突出部１６によって案内されるように入れる。
杭本体１に入れた押圧棒６ｇは、まず、先細部６１ｇが上段の張り出し部材３ｄの板部材３０ｄ上に載る。そして、押圧棒６ｇの上部を作業機械等で下方に押し込む。
【０１７９】
押圧棒６ｇが下方に押し込まれることで、先鋭部６１ｇによって上段の張り出し部材３ｄが押し下げられる。こうして上段の張り出し部材３ｄが蝶番３３ｄを中心として回動し、シート１２を突き破って先端側から開口部１０６より外方向（土中）に突き進みながら張り出す（図３７参照）。
【０１８０】
上段の張り出し部材３ｄが外方向に張り出すことにより、杭本体１内に空間ができ、これにより押圧棒６ｇは更に下部側へ入り込む。こうして押圧棒６ｇの先鋭部６１ｇを下段の張り出し部材３ｄの板部材３０ｄ上に載せる。
【０１８１】
この状態で再び、押圧棒６ｇの上部を作業機械等で下方に押し込む。
これにより下段の張り出し部材３ｄも押し下げられて蝶番３３ｄを中心として回動し、開口部１０７より外方向（土中）に突き進みながら張り出す（図３７参照）。
【０１８２】
外方向に張り出した張り出し部材３ｄ，３ｄは、蝶番３３ｄ、３３ｄが切欠部６０ｇ、６０ｇの厚み部分に収まるよう嵌めて設けてあるので、板部材３０ｄ、３０ｄの表面が杭本体１の内面と当たる。また、押圧棒６ｇは外面（側面）が上記板部材３０ｄ、３０ｄと当たるので、張り出し部材３ｄ，３ｄは張り出した状態で押圧棒６ｇによって固定される。
本実施の形態で示す杭Ｋ１１の他の作用は、上記した杭Ｋ１，Ｋ２，Ｋ３，Ｋ４，Ｋ５，Ｋ６，Ｋ７，Ｋ８，Ｋ９，Ｋ１０と略同じであるので説明は省略する。
【０１８３】
図３９ないし図４１は本発明に係る杭の第１２の実施の形態を示している。
図３９は張り出し部材を杭本体に内蔵した状態の杭を示す要部拡大断面図、
図４０は図３６に示す状態から張り出し部材を外方向に張り出した状態を示す要部拡大断面図、
図４１は図４０に示す状態の杭を示す平面図である。
図３９ないし図４１において、上記図１ないし図３８で示したものと同一または同等箇所には同一の符号を付して示している。更に、以下の説明において構造について上記で示した箇所と重複する説明は、必要な事項を除き省略する。なお、図３９及び図４０においても、杭本体に内蔵された部材（張り出し部材３ｅ）は断面せずに示している。
【０１８４】
杭Ｋ１２を構成する杭本体１内の下部側には、張り出し部材３ｅ、３ｅが上下二段にそれぞれ開口部１０６，１０７に対応させて設けてある。各張り出し部材３ｅは、平板状の板部材３０ｅの下端部に、凹状に湾曲した板部材３１ｅを接合して、側面視略「Ｌ」型状に形成してある。湾曲した板部材３１ｅの上面には、補強のための補強リブ３２ｅが立てて設けてある。また、板部材３０ｅの内面側にあたる上端両側部には、ピン取着部材３３ｅ，３３ｅが突出して設けてある。ピン取着部材３３ｅ，３３ｅにはピン孔３３０ｅ，３３０ｅが貫通して形成してある。
【０１８５】
張り出し部材３ｅ，３ｅは、開口部１０６，１０７から外方向に張り出し可能な杭本体１内の所定位置にそれぞれ位置させ、側壁１０２と側壁１０３の両側方からピン孔３３０ｅ，３３０ｅを貫通するようにピンＰ，Ｐを挿し込んで回動可能な状態になるよう取り付けてある。
【０１８６】
押圧棒６ｈは、下部側に先鋭部６１ｈを有する合成樹脂製の中実の柱状体であり、外面（側面）と杭本体１の内面との間にやや隙間ができる大きさに形成してある。押圧棒６ｈの四隅の角部に相当する箇所には、杭本体１内に突出したピン取着部材３３ｅ，３３ｅ及び挿し込まれたピンＰ，Ｐが引っ掛からないようにするための切欠部６０ｈが形成してある。また、側面１０２，１０３に対応する側の各外面には、押圧棒６ｈの入れる向きを示す目印である切欠部６２ｈ、６２ｈが形成してある。
【０１８７】
（作  用）
本実施の形態で示す杭Ｋ１２は、次のようにして張り出し部材３ｅ，３ｅが張り出す。
杭本体１の収容部１５内に、上部開口部から押圧棒６ｈを入れる。押圧棒６ｈは、切欠部６２ｈ、６２ｈを側面１０２，１０３に対応させて入れる。
杭本体１に入れた押圧棒６ｈは、まず、先鋭部６１ｈを上段の張り出し部材３ｅの板部材３０ｅ上に載せる。
そして、押圧棒６ｈの上部を作業機械等で下方に押し込む。
【０１８８】
押圧棒６ｈが下方に押し込まれることで、先鋭部６１ｈによって上段の張り出し部材３ｅが押し下げられる。こうして上段の張り出し部材３ｅがピンＰ，Ｐを中心として回動し、シート１２を突き破って先端側から開口部１０６より外方向（土中）に突き進みながら張り出す（図４０参照）。
【０１８９】
上段の張り出し部材３ｅが外方向に張り出すことにより、杭本体１内に空間ができ、これにより押圧棒６ｈは更に下部側へ入り込む。こうして押圧棒６ｈの先鋭部６１ｈを下段の張り出し部材３ｅの板部材３０ｅ上に載せる。
【０１９０】
この状態で再び、押圧棒６ｈの上部を作業機械等で下方に押し込む。
これにより下段の張り出し部材３ｅも押し下げられてピンＰ，Ｐを中心として回動し、板部材３１ｅ部分が開口部１０７より外方向（土中）に突き進みながら張り出す（図４０参照）。
本実施の形態で示す杭Ｋ１２の他の作用は、上記した杭Ｋ１，Ｋ２，Ｋ３，Ｋ４，Ｋ５，Ｋ６，Ｋ７，Ｋ８，Ｋ９，Ｋ１０，Ｋ１１と略同じであるので説明は省略する。
【０１９１】
図４２ないし図４４は本発明に係る杭の第１３の実施の形態を示している。
図４２は張り出し部材を杭本体に内蔵した状態の杭を示す要部拡大断面図、
図４３は図４２に示す状態から張り出し部材を外方向に張り出した状態を示す要部拡大断面図、
図４４は図４３に示す状態の杭を示す平面図である。
図４２ないし図４４において、上記図１ないし図４１で示したものと同一または同等箇所には同一の符号を付して示している。更に、以下の説明において構造について上記で示した箇所と重複する説明は、必要な事項を除き省略する。なお、図４２及び図４３においても、杭本体に内蔵された部材（張り出し部材３ｆ）は断面せずに示している。
【０１９２】
杭Ｋ１３を構成する杭本体１は、二つのＣ型鋼を組み合わせて略四角筒形状を有するよう形成してある。
【０１９３】
杭本体１内の下部側には、張り出し部材３ｆ、３ｆが同じ高さの位置に設けてある。各張り出し部材３ｆは、平板状の板部材３０ｆの下端部に、凹状に湾曲した板部材３１ｆを接合して、側面視略「Ｌ」型状に形成してある。湾曲した板部材３１ｆの上面には、補強のための補強リブ３２ｆが立てて設けてある。各張り出し部材３ｆの上縁側にはそれぞれ切欠部３３ｆが形成してあり、各切欠部３３ｆには蝶番３４ｆが板部材３０ｆの厚み部分に収まるように嵌められて溶接により設けてある。
【０１９４】
張り出し部材３ｆ、３ｆは、開口部１０６，１０７から外方向に張り出し可能なように、蝶番３４ｆ、３４ｆを側面１００，１０１の内面に溶接して取り付けてある。
【０１９５】
（作  用）
本実施の形態で示す杭Ｋ１３は、次のようにして張り出し部材３ｆ，３ｆが張り出す。
杭本体１の収容部１５内に、上部開口部から押圧棒６ｇを入れる。押圧棒６ｇは、切欠部６０ｇを突出部１６に対応させて入れる。
【０１９６】
杭本体１に入れた押圧棒６ｇは、先細部６１ｇを張り出し部材３ｆ、３ｆの板部材３０ｆ、３０ｆ上に載せて、上部を作業機械等で下方に押し込むことにより、蝶番３４ｆ、３４ｆを中心として回動し、シート１２を突き破って先端側から開口部１０６，１０７より外方向（土中）に突き進みながら張り出す（図４３参照）。
【０１９７】
外方向に張り出した張り出し部材３ｆ，３ｆは、蝶番３４ｆ、３４ｆが切欠部３３ｆ、３３ｆに嵌めて設けてあるので、板部材３０ｆ、３０ｆが杭本体１の内面と当たる。また、押圧棒６ｇは外面（側面）が上記板部材３０ｆ、３０ｆと当たるので、張り出し部材３ｆ，３ｆは張り出した状態で押圧棒６ｇによって固定される。
本実施の形態で示す杭Ｋ１３の他の作用は、上記した杭Ｋ１，Ｋ２，Ｋ３，Ｋ４，Ｋ５，Ｋ６，Ｋ７，Ｋ８，Ｋ９，Ｋ１０，Ｋ１１，Ｋ１２と略同じであるので説明は省略する。
【０１９８】
上記した杭Ｋ１ないし杭Ｋ１３を構成する先鋭部または先細部は、杭Ｋ８で示すもののように、杭本体１の下部に取り外し可能に設けることができるものを採用することもできる。
【０１９９】
杭Ｋ１ないしＫ１３において案内手段は、案内部材４，４ａ、案内補強部材２５、ボルト等を杭本体１の内方に突出させて構成したもの等が採用できる。
【０２００】
図４５ないし図４７は本発明に係る杭の第１４の実施の形態を示している。
図４５は張り出し部材を保持する保持装置を分解して、杭本体の中間部を省略した状態の杭を示す斜視説明図、
図４６は張り出し部材を保持した保持装置を杭本体に取り付けた状態を示す要部拡大断面図、
図４７は図４６に示す状態から張り出し部材を外方向に張り出した状態を示す要部拡大断面図、
図４５ないし図４７において、上記図１ないし図４４で示したものと同一または同等箇所には同一の符号を付して示している。更に、以下の説明において構造について上記で示した箇所と重複する説明は、必要な事項を除き省略する。なお、図４６及び図４７においても、杭本体に内蔵された部材（張り出し部材３ｃ）は断面せずに示している。
【０２０１】
杭Ｋ１４は、杭本体１と、杭本体１の下端部に取り付けられ、張り出し部材３ｃ、３ｃを保持するための保持装置９と、張り出し部材３ｃ、３ｃを備えている。
【０２０２】
保持装置９は、一対の保持部材９０，９０と、保持部材９０，９０の下部に取り付けられる先鋭部材９１を備えている。保持部材９０，９０は、張り出し部材３ｃ、３ｃを挟んで保持し、更に移動方向を案内するものであり、先鋭部材９１は杭を土中に打ち込み易くするものである。
【０２０３】
各保持部材９０は、合成樹脂で形成された一体成形品であり、幅方向の長さが杭本体１の側面１０２や側面１０３の内幅よりもやや短く、厚みが側面１００や側面１０１の内幅の半分よりやや短く形成してある。
【０２０４】
保持部材９０の幅方向の両側には、張り出し部材３ｃ、３ｃを収容する空間を構成する挟持部９００，９００が形成してある。挟持部９００，９００の間には、押圧棒６ｉを配置する収容溝９０１が形成してある。各挟持部９００には、張り出し部材３ｃの羽根部３０ｃの側縁部を嵌めて、かつ張り出し部材３ｃの移動方向を案内するための嵌合溝９０２が、側面視において円弧形状に形成してある。嵌合溝９０２の下側の側面は、嵌めた羽根部３０ｃを載せる載置部９０３を形成するよう延出してある。挟持部９００と収容溝９０１は一部分が連続している。
【０２０５】
保持部材９０の上部は、杭本体１内に設けた保持部材９０，９０の間に、押圧棒６ｉを収容する隙間を形成する収容部形成部９０４が設けてある。収容部形成部９０４の内角側には、押圧棒６ｉを案内する案内部９０５，９０５が、内方に向けて下り傾斜して形成されている。
【０２０６】
保持部材９０の下部には、先鋭部材９１の連結部９１０を嵌める連結部９０６が切り欠いて形成してある。また、保持部材９０の下部には、連結部９０６に嵌めた先鋭部材９１を固定するボルトＢ２を貫通するための貫通穴９０７が形成してある。貫通穴９０７の側方には、保持装置９を杭本体１に固定するボルトＢ３をねじ込むためのネジ穴９０８が形成してある。
【０２０７】
先鋭部材９１も合成樹脂で形成された一体成形品である。先鋭部材９１は、下端が尖った略四角錐形状を有しており、上部側には保持部材９０，９０の連結部９０６，９０６に嵌合可能な凸状の連結部９１０が形成してある。連結部９１０の側部には、上記したボルトＢ２がねじ込み可能なネジ穴９１３・・・が形成してある。先鋭部材９１の内部には、押圧棒６ｉの先細部６１ｉが収容可能な収容部９１１が形成してある。先鋭部材９１の先端部には、金属製の損傷防止部材９１２が、表面が合成樹脂の箇所と略面一になるよう埋めて設けてある。
【０２０８】
保持装置９は、相対向させた保持部材９０，９０の間に、張り出し部材３ｃ、３ｃを挟持部９００・・・で挟み込むように嵌合溝９０２に嵌めて設けて、先鋭部材９１の連結部９１０を連結部９０６，９０６に嵌め、貫通穴９０７・・・に設けたボルトＢ２・・・を先鋭部材９１のネジ穴９１３・・・にねじ込むことで一体に組み立てられる。保持部材９０，９０は、間に押圧棒６ｉが入り込むことができる程度の隙間をもって設けられている。各張り出し部材３ｃは、停止部材３２ｃの下端側が収容溝９０１側にやや突出した状態になるようにして挟持部９００内に収容される（図４６参照）。
【０２０９】
杭本体１の側面１０２と側面１０３の下部側には、ボルトＢ３を貫通するための貫通穴１７が所要間隔を設けて形成してある。
【０２１０】
組み立てられた保持装置９は、先鋭部材９２が杭本体１の下端部に突出した状態で設けられるよう、保持部材９０，９０を側面１０２と側面１０３に対応させた状態で杭本体１内に入れられる。保持装置９は、外方からボルトＢ３・・・を貫通穴１７に通してネジ穴９０８にねじ込んで杭本体１に固定される。
【０２１１】
押圧棒６ｉは、杭Ｋ１４よりも長さの短い、下部側に先細部６１ｉを有する合成樹脂製の横断面略「十」型状を有する中実の柱状体である。
【０２１２】
本実施の形態で示す保持装置９は、合成樹脂で一体成形により形成されたものを使用したが、これは限定するものではない。例えば、材料は、木材、コンクリート、金属、これら（合成樹脂も含む）の複合物等によって形成されたものを使用することもできる。また、製造方法も特に限定するものではなく、例えば、削り出して形成することもできる。
【０２１３】
（作  用）
本実施の形態で示す杭Ｋ１４は、次のようにして張り出し部材３ｃ，３ｃが張り出す。
杭本体１の収容部１５内に、上部開口部から押圧棒６ｉを入れる。押圧棒６ｉは、先細部６１ｉが保持部材９０の案内部９０５・・・によって案内されて、収容溝９０１と保持部材９０，９０の間の隙間に入り込む。
【０２１４】
杭本体１に入れた押圧棒６ｉは、先細部６１ｉを張り出し部材３ｃ、３ｃの停止部材３２ｃ上に載せる。
そして、押圧棒６ｉの上部を作業機械等で下方に押し込む。
【０２１５】
押圧棒６ｉが下方に押し込まれることで、先細部６１ｉによって張り出し部材３ｃ、３ｃが押し下げられて下降し、嵌合溝９０２及び載置部９０３に案内されて（孤を描きながら）移動し、開口部１０７より外方向（土中）に張り出す（図４７参照）。
【０２１６】
杭Ｋ１４によれば、組み立てた保持装置９を杭本体１内に入れることにより、張り出し部材３ｃ、３ｃを杭本体１に設けることができるので、製造が簡単である。なお、保持装置の形状は、同等の機能を奏することができれば、特に限定するものではない。
本実施の形態で示す杭Ｋ１４の他の作用は、上記した杭Ｋ１，Ｋ２，Ｋ３，Ｋ４，Ｋ５，Ｋ６，Ｋ７，Ｋ８，Ｋ９，Ｋ１０，Ｋ１１，Ｋ１２，Ｋ３と略同じであるので説明は省略する。
【０２１７】
上記した杭Ｋ１ないし杭Ｋ１４において、張り出し部材は、側面視において略逆「Ｔ」字（型）形状のもの（例えば、長方形状を有する板状体の長さ方向に沿う略中央に、長方形状の板状体を垂設したもの）を使用することもできるし、側面視において略「凵」字（型）形状のもの（例えば、長方形状を有する板状体の長さ方向に沿う略両端側に、長方形状の板状体を垂設したもの）等を使用することもできる。
【０２１８】
杭Ｋ１ないしＫ１４において側壁の外面には、張り出し部材が張り出す開口部を塞ぐようにシートを貼付することができる。
【０２１９】
杭Ｋ１ないしＫ１４は、外方向（土中）に張り出し部材を張り出した後に、杭本体１内にコンクリートを充填することもできる。コンクリートを充填することで杭本体１内の空間をなくすことができるので、杭本体１の変形が防止でき、土圧等に対する強度が高まる。
【０２２０】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【０２２１】
【図１】張り出し部材を杭本体に内蔵した状態の杭を示す斜視説明図。
【図２】図１で示す杭を矢印Ａの方向から見た状態の要部拡大断面図。
【図３】図１で示す杭を矢印Ｂの方向から見た状態の要部拡大断面図。
【図４】張り出し部材を杭本体内から張り出した状態の杭を示す斜視説明図。
【図５】図４で示す杭を矢印Ｃの方向から見た状態の要部拡大断面図。
【図６】図４で示す杭を矢印Ｄの方向から見た状態の要部拡大断面図。
【図７】図１に示す杭を打ち込み、張り出し部材を土中に張り出すまでの各状態を示す説明図。
【図８】本発明に係る杭の第２の実施の形態を示す要部拡大断面説明図。
【図９】張り出し部材を杭本体に内蔵した状態の杭を示す要部拡大断面図。
【図１０】杭を図９で示す方向から軸周方向において９０°回転した方向から見た状態を示す要部拡大断面図。
【図１１】図９に示す状態から張り出し部材を張り出した状態を示す要部拡大断面図。
【図１２】図１０に示す状態から張り出し部材を張り出した状態を示す要部拡大断面図。
【図１３】張り出し部材を杭本体に内蔵した状態の杭を示す斜視説明図。
【図１４】図１３で示す杭を矢印Ａの方向から見た状態の要部拡大断面図。
【図１５】図１３で示す杭を矢印Ｂの方向から見た状態の要部拡大断面図。
【図１６】張り出し部材を杭本体内から張り出した状態の杭を示す斜視説明図。
【図１７】図１６で示す杭を矢印Ｃの方向から見た状態の要部拡大断面図。
【図１８】図１６で示す杭を矢印Ｄの方向から見た状態の要部拡大断面図。
【図１９】張り出し部材を杭本体に内蔵した状態の杭を示す斜視説明図。
【図２０】図１９で示す杭を矢印Ａの方向から見た状態の要部拡大断面図。
【図２１】図１９で示す杭を矢印Ｂの方向から見た状態の要部拡大断面図。
【図２２】張り出し部材を杭本体内から張り出した状態の杭を示す斜視説明図。
【図２３】図２２で示す杭を矢印Ｃの方向から見た状態の要部拡大断面図。
【図２４】図２２で示す杭を矢印Ｄの方向から見た状態の要部拡大断面図。
【図２５】本発明に係る杭の第６の実施の形態を示す要部拡大断面説明図。
【図２６】張り出し部材を杭本体に内蔵した状態を示す要部拡大断面図。
【図２７】図２５に示す状態から張り出し部材を杭本体内から張り出した状態の杭を示す要部拡大断面図。
【図２８】張り出し部材を杭本体に内蔵した状態の杭と押圧棒を示す斜視説明図。
【図２９】張り出し部材を杭本体に内蔵した状態の杭を示す要部拡大断面図。
【図３０】図２９に示す状態から張り出し部材を外方向に張り出した状態を示す要部拡大断面図。
【図３１】張り出し部材を杭本体に内蔵した状態の杭を示す断面説明図。
【図３２】図３１に示す状態から張り出し部材を外方向に張り出した状態を示す断面説明図。
【図３３】張り出し部材を杭本体に内蔵した状態の杭と押圧棒を示す斜視説明図。
【図３４】張り出し部材を杭本体に内蔵した状態の杭を示す要部断面説明図。
【図３５】図３４に示す状態から張り出し部材を外方向に張り出した状態を示す要部断面説明図。
【図３６】張り出し部材を杭本体に内蔵した状態の杭を示す要部拡大断面図。
【図３７】図３６に示す状態から張り出し部材を外方向に張り出した状態を示す要部拡大断面図。
【図３８】図３７に示す状態の杭を示す平面図。
【図３９】張り出し部材を杭本体に内蔵した状態の杭を示す要部拡大断面図。
【図４０】図３６に示す状態から張り出し部材を外方向に張り出した状態を示す要部拡大断面図。
【図４１】図４０に示す状態の杭を示す平面図。
【図４２】張り出し部材を杭本体に内蔵した状態の杭を示す要部拡大断面図。
【図４３】図４２に示す状態から張り出し部材を外方向に張り出した状態を示す要部拡大断面図。
【図４４】図４３に示す状態の杭を示す平面図。
【図４５】張り出し部材を保持する保持装置を分解して、杭本体の中間部を省略した状態の杭を示す斜視説明図。
【図４６】張り出し部材を保持した保持装置を杭本体に取り付けた状態を示す要部拡大断面図。
【図４７】図４６に示す状態から張り出し部材を外方向に張り出した状態を示す要部拡大断面図。
【符号の説明】
【０２２２】
Ｋ１，Ｋ２，Ｋ３，Ｋ４，Ｋ５，Ｋ６，Ｋ７，Ｋ８，Ｋ９，Ｋ１０，Ｋ１１，Ｋ１２，Ｋ１３，Ｋ１４  杭
Ｂ１，Ｂ２，Ｂ３  ボルト
Ｖ 振動発生装置
Ｐ  ピン
１，１ａ  杭本体
１０ａ  短管体
１００，１０１，１０２，１０３  側壁
１００ａ  周壁
１０１ａ  底板
１０２ａ  リブ
１０４ａ，１０４ｂ，１０４ｃ，１０４ｄ，１０４ｅ，１０４ｆ，１０４ｇ，１
０４ｈ、１０４ｉ、１０４ｊ  ネジ孔
１０５  ネジ孔
１０６，１０７，１０８，１０９  開口部
１０６ａ，１０７ａ  開口部
１１ａ  管体
１１０ａ  鋼管
１１１ａ  コンクリート
１１２ａ  円環体
１２  シート
１３  貫通孔
１４  目印
１５  収容部
１６  突出部
１７  貫通穴
２，２ａ  先鋭部
２０  補強部材
２０ａ  嵌合壁
２００  軸受部
２００ａ  ネジ孔
２５  案内補強部材
２５０  案内面
２５１  設置部
２５２  凹穴
２６  防止部材
３，３ａ，３ｂ，３ｃ，３ｄ，３ｅ，３ｆ  張り出し部材
３０，３０ａ，３０ｂ，３０ｃ  羽根部
３０ｄ，３０ｅ，３０ｆ  板部材
３００  貫通孔
３１，３１ａ，３１ｃ  補強リブ
３１ｄ，３１ｅ，３１ｆ  板部材
３２，３２ａ，３２ｃ  停止部材
３２ｄ  取付凹部
３２ｅ  補強リブ
３２ｆ  補強リブ
３２０ｃ  切欠部
３３  連結部
３３ｄ  蝶番
３３ｅ  ピン取着部材
３３ｆ  切欠部
３３０ｅ  ピン孔
３４  仮留め部材
３４ｆ  蝶番
３５  ブラケット
４，４ａ  案内部材
４０，４０ａ  案内面
４００ａ  設置部
４１ａ、４１ｂ、４１ｃ、４１ｄ、４１ｅ、４１ｆ、４１ｇ、４１ｈ  ボルト
４２  ボルト
４３ａ、４３ｂ、４３ｃ、４３ｄ、４３ｅ、４３ｆ、４３ｇ、４３ｈ、４３ｉ、
４３ｊ  ボルト
４４  ボルト
５０  押圧部材
５００  貫通孔
５１，５１ａ  案内軸部材
６，６ａ，６ｂ，６ｃ，６ｄ，６ｅ，６ｆ，６ｇ，６ｈ  押圧棒
６０ｄ  ロッド本体
６０ｅ，６０ｆ，６０ｇ，６０ｈ  切欠部
６００ｄ  リブ
６１ｄ  押さえ部材
６１ｅ，６１ｆ，６１ｇ，６１ｈ  先鋭部
６２ｄ  リンク部材
６２ｈ  切欠部
６３ｄ，６４ｄ  蝶番
６５ｄ  引掛部材
７０ａ  防止部材
７１ａ  補強部材
７１０ａ  開口部
８０  ワイヤーロープ
８１  係合部材
８２  ワイヤーロープ
９  保持装置
９０  保持部材
９００  挟持部
９０１  収容溝
９０２  嵌合溝
９０３  載置部
９０４  収容部形成部
９０５  案内部
９０６  連結部
９０７  貫通穴
９０８  ネジ穴
９１  先鋭部材
９１０  連結部
９１１  収容部
９１２  損傷防止部材
９１３  ネジ穴
【図１】
2005009295.tif 000003
【図２】
2005009295.tif 000004
【図３】
2005009295.tif 000005
【図４】
2005009295.tif 000006
【図５】
2005009295.tif 000007
【図６】
2005009295.tif 000008
【図７】
2005009295.tif 000009
【図８】
2005009295.tif 000010
【図９】
2005009295.tif 000011
【図１０】
2005009295.tif 000012
【図１１】
2005009295.tif 000013
【図１２】
2005009295.tif 000014
【図１３】
2005009295.tif 000015
【図１４】
2005009295.tif 000016
【図１５】
2005009295.tif 000017
【図１６】
2005009295.tif 000018
【図１７】
2005009295.tif 000019
【図１８】
2005009295.tif 000020
【図１９】
2005009295.tif 000021
【図２０】
2005009295.tif 000022
【図２１】
2005009295.tif 000023
【図２２】
2005009295.tif 000024
【図２３】
2005009295.tif 000025
【図２４】
2005009295.tif 000026
【図２５】
2005009295.tif 000027
【図２６】
2005009295.tif 000028
【図２７】
2005009295.tif 000029
【図２８】
2005009295.tif 000030
【図２９】
2005009295.tif 000031
【図３０】
2005009295.tif 000032
【図３１】
2005009295.tif 000033
【図３２】
2005009295.tif 000034
【図３３】
2005009295.tif 000035
【図３４】
2005009295.tif 000036
【図３５】
2005009295.tif 000037
【図３６】
2005009295.tif 000038
【図３７】
2005009295.tif 000039
【図３８】
2005009295.tif 000040
【図３９】
2005009295.tif 000041
【図４０】
2005009295.tif 000042
【図４１】
2005009295.tif 000043
【図４２】
2005009295.tif 000044
【図４３】
2005009295.tif 000045
【図４４】
2005009295.tif 000046
【図４５】
2005009295.tif 000047
【図４６】
2005009295.tif 000048
【図４７】
2005009295.tif 000049